(57)【要約】【課題】シーン露光域での感度及び寛容度が改良された写真要素を提供すること。【解決手段】支持体と、収束ミクロレンズアレイと、挿入された感光性ハロゲン化銀乳剤層ユニットを含んで成る感光性写真要素を開示する。カメラ組み合わせ及び画像形成方法も提供する。本発明の態様は、シーン露光域における感度及び寛容度の改良を提供する。【選択図】      図１
2004163883.tif 000002
【特許請求の範囲】
【請求項１】
支持体と、収束ミクロレンズアレイと、挿入された感光性ハロゲン化銀乳剤層ユニットを含んで成る感光性写真要素。
【請求項２】
前記ミクロレンズアレイが完全又は部分的な球面又は非球面形状を有する請求項１記載の要素。
【請求項３】
前記ミクロレンズを構成する材料が、前記ミクロレンズの形状が写真処理により変化するように選ばれる請求項１又は２記載の要素。
【請求項４】
前記ミクロレンズを構成する材料が、前記ミクロレンズの形状が写真処理により変化しないように選ばれる請求項１又は２記載の要素。
【請求項５】
前記支持体の投影面積に対する前記ミクロレンズの投影面積の比が０．３よりも大きい請求項１〜４のいずれか一項に記載の要素。
【請求項６】
前記ミクロレンズアレイが幾何学的に不規則的なアレイである請求項１〜５のいずれか一項に記載の要素。
【請求項７】
前記ミクロレンズアレイが、当該アレイを含まない同じ要素と比較して少なくとも０．１５ｌｏｇＥ拡大した露光寛容度を可能にする請求項１〜６のいずれか一項に記載の要素。
【請求項８】
請求項１〜７のいずれか一項に記載の要素を予め装填したカメラ。
【発明の詳細な説明】
【０００１】
【発明の属する技術分野】
本発明は、支持体と、収束ミクロレンズアレイと、挿入された感光性ハロゲン化銀乳剤層ユニットを含んで成る感光性写真要素に関する。
【０００２】
【従来の技術】
従来の写真法では、感光性要素をシーンからの光に制御可能に露出することにより画像を記録することはよく知られている。典型的には、そのような感光性要素は、フィルムなどの可撓性基材及び／又はガラス板などの非可撓性基材により支持された１つ以上の感光性層を含む。画像形成に適当な生成物とともに１種以上の感光性ハロゲン化銀乳剤を有することがある感光性層は、シーンからの光が与えるエネルギーと反応する。この反応の程度は、露出中に要素の単位面積当たり受容した光の量の関数である。この反応の程度は、露出中により多くの光に暴露された要素の領域では、より少ない光に暴露された領域よりも大きい。従って、シーンからの光が、感光性要素上に収束された場合には、シーンからの光のレベルの差はその層において反応の程度の差として捕捉される。現像工程後、その層における反応の程度の差は、異なる濃度を有する画像領域として見える。これらの濃度は、原シーンの輝度を有する画像を形成する。
【０００３】
シーンからの周辺光に露出された場合に非線形応答を示すことはハロゲン化銀乳剤の特徴である。このことに関し、感光性要素は、組み込まれた乳剤と関連する薬剤とが反応し始めて異なる露光量レベルが異なる濃度の形成を可能にする最低露光量を決める下限の応答閾値を有する。この下限の閾値は、結局のところ個々のハロゲン化銀乳剤粒子の量子効率に関係する。通常、この下限の応答閾値よりも低いレベルの光に暴露された感光性要素の全ての部分は、その感光性要素を現像した場合に共通の外観を有する。
【０００４】
さらに、感光性要素は、乳剤と関連する薬剤とが反応して異なる露光量レベルが異なる濃度の形成を可能にするレベルを超える露光量レベルを決める上限の応答閾値も有する。通常、この場合にも、この上限の応答閾値を超えるレベルで露光された要素の全ての部分は、その感光性要素を現像した後に共通の外観を有する。
【０００５】
このように、要素は、下限の応答閾値と上限の応答閾値の両方を有すると言うことができ、この間の範囲は、識別可能であるコントラスト差を有するコントラストパターンを記録することにより露光量レベルの違いに要素が反応できる有効な露光域である。下限及び上限の閾値と関連する露光量レベルは要素の露光寛容度を決める。従って、画像の外観を最適化するには、露光量レベルの範囲が要素の寛容度又は有用な範囲の中にあるように露光量を調節することが一般的に都合よい。
【０００６】
当然のことながら、多くの一般消費者及びプロの写真家は、広範囲な写真条件での画像捕獲を可能にする感光性要素、カメラシステム及び写真法を使用することを好む。この目的を達成する１つの方法は、広い寛容度を有する感光性要素を提供することである。しかしながら、極端に広い寛容度の感光性要素は、光に対する個別に組み込まれたハロゲン化銀の応答性による制限を基本的に受ける。従って、シーンの輝度特性を調節することにより感光性要素の下側の応答限界と上側の応答限界の間の範囲を有効に拡げるように働くカメラシステム及び写真法を提供することは周知である。例えば、暗いシーンに対しては補助的な照明を用意することにより感光性要素の下側の応答限界を有効に拡げることが周知である。
【０００７】
感光性要素に利用でき露光を可能にするシーンからの光量を増大するように設計された撮影用レンズシステムを使用することにより補助的な照明を用意せずに感光性要素に作用する光の量を増大させることも周知である。しかしながら、相当の光を透過するレンズは、また、関連するカメラシステムの被写界深度を本質的に浅くする。そのため、この解決法は、固定焦点カメラによる画像形成に普遍的に適するものではない。なぜなら、シーンに適切に焦点が合わないことがあるからである。この解決法は、可変焦点カメラにおいても好ましくはない。なぜなら、そのようなレンズシステムは高価な場合があり、設計し、取り付け、維持することが困難であるからである。
【０００８】
当然のことながら、露出時間と、露出中に感光性要素に当たるシーンからの光の量との間には直接的な関係がある。従って、露出中に感光性要素に作用する光の量を増加させるための当該技術分野で知られている別の方法は、より長い開放シャッターという手段を使用して露出時間を長くするものである。しかしながら、これは、露光量の上限を低下させる。さらに、長いシャッター開放時間は、シーンの構成が進展することが可能なほど十分長い時間、シャッターを開放にしたままにすることがある。これは、ピントがぼけた画像をもたらす。従って、シャッター開放時間を制限することが望ましい。
【０００９】
従って、適切なシャッター時間であまり複雑でなく、あまり費用のかからないカメラシステム及び写真法であって、動きの速さに適切なシャッター時間で画像の捕獲が可能なカメラシステム及び写真法、特に固定シャッター時間を有するカメラが必要とされている。
【００１０】
露出中に感光性要素に対して作用する光の量を増加させる別の方法は、シーンからの光を集めるため及びシーンからのこの光をミクロレンズのアレイ、例えばフィルムに近接して配置されたリニアレンチキュラーレンズのアレイ上に投影するための従来の撮影レンズシステムを使用するものである。これの一例はＣｈｒｅｔｉｅｎの米国特許第１，８３８，１７３号明細書に示されている。各ミクロレンズは、シーンからの光の一部をフィルムの関連する領域上に集める。そのように集光することによって、感光性要素の集中露光領域（ｃｏｎｃｅｎｔｒａｔｅｄ  ｅｘｐｏｓｕｒｅ  ａｒｅａ）のそれぞれに入射した光の量は、フィルムの下限の応答閾値よりも高いレベルまで増大する。これによって、集中露光領域の密度のコントラストなパターンによって画像を形成することができる。
【００１１】
このようにして形成された画像はセグメント化され、集中露光領域は、シーンの凝縮された画像を形成し、感光性要素の残りの部分は、その凝縮された画像における未露光アーチファクトのパターンを形成する。そのような画像の従来の方法により得られるプリントでは、このパターンは不十分な低いコントラストと、新聞にかなり似たハーフトーン外観を有する。このように、従来技術のミクロレンズ又はレンチキュラーを使用した低光写真は、一般消費者及びプロの写真家により表現されるもののような高品質市場での使用に不適当である。
【００１２】
しかしながら、ミクロレンズアレイ、特にレンチキュラーアレイは、写真での他の用途が見出された。例えば、初期のカラー写真では、黒白ハロゲン化銀画像形成システムを使用してカラー写真が可能であるようにカラースペクトルを分割するための手段としてのカラーフィルターと組み合わせてリニアレンチキュラー画像捕獲が用いられた。この技術は、本願出願人による米国特許第２，１９１，０３８号明細書に記載されているように、初期のカラー映画システムで商業的に使用された。１９４０年代に、インスタント写真において黒白感光性要素を使用してカラー画像を捕獲するのを促進するために、レンチキュラースクリーンを使用することが提案された。（米国特許第２，９２２，１０３号明細書）。１９７０年代に、米国特許第４，２７２，１８５号明細書に、高いコントラスト特性を有する画像を生成させるためにレンチキュラーレンズを使用することが開示された。未露光領域のサイズを小さくすることによって、線パターンは殆ど見えなくなり、そのため、線パターンの好ましくない程度はより小さい。また、１９７０年代に、移動するレンチキュラースクリーンを通して感光性要素を露光することが提案された（米国特許第３，９５４，３３４号明細書）。最後に、１９９０年代には、３つのカラー層とハレーション防止層を有するリニアレンチキュラーリッジ付き支持体が３Ｄ画像表現材料として使用された。これらのリニアレンチキュラーアレイは、多レンズカメラで捕獲されたシーンの多視点からのインターリーブプリント画像（ｉｎｔｅｒｌｅａｖｅｄ  ｐｒｉｎｔ  ｉｍａｇｅｓ）を形成するために使用された。インターリーブ画像は３次元的外観を与える。この技術の例は、Ｌｏらの米国特許第５，４６４，１２８号明細書及びＩｐの米国特許第５，７４４，２９１号明細書に開示されている。これらの開示は、直接観察に好適な多シーン視点の捕獲から３Ｄ画像を形成することに適合させた方法、要素及び装置に関するものと理解される。これらは、ハンドヘルドカメラにおいて使用するのに好適なシャッター時間での写真撮影を可能にすることができない。
【００１３】
ミクロレンズを使用した写真法には様々な用途があるが、低シーン輝度レベルで商業的に許容可能な画像の捕獲を可能にする感光性要素の下側の応答閾値を有効に拡げるという本来の約束を依然として満たさなければならない。従って、必要とされているものは、感光性要素上にレンチキュラー画像を捕獲し、そして捕獲された感光性要素画像を使用して商業的に許容可能なプリント又は他の出力を形成するための方法及び装置である。
【００１４】
感光性要素の上側の応答閾値を超える画像形成条件下で画像を捕獲することが有用な場合もある。そのような条件は、日中の雪原及び海辺といった場所で捕獲しようとする明るいシーンの場合に生じうる。典型的には、カメラは、開口制御システム、シャッタータイミング制御システム及びフィルタリングシステムを使用して、シーンからの光の強度を減少させ、感光性要素に当たる光が、その感光性要素の上限以下にある強度を有するようにする。しかしながら、これらのシステムは、カメラの設計にかなりの複雑さ及びコストを加えることがある。さらに、先に述べたような下側の閾値を改善するためにより大きい開口を有するレンズを使用するという便宜的方法は、より多くの光を通すとともに上側の応答閾値での露光を低下させる。従って、感光性要素の寛容度よりも高いシーン輝度レベルの範囲で画像を捕獲するための、単純で、より費用がかからないカメラシステム及び写真法も必要とされている。
【００１５】
【特許文献１】
米国特許第９９２，１５１号明細書
【特許文献２】
米国特許第１，８３８，１７３号明細書
【特許文献３】
米国特許第２，１４３，７６２号明細書
【特許文献４】
米国特許第２，１９１，０３８号明細書
【特許文献５】
米国特許第４，２７２，１８６号明細書
【特許文献６】
米国特許第５，７４４，２９１号明細書
【００１６】
【発明が解決しようとする課題】
シーン露光域での感度及び寛容度が改良された写真要素を提供することが解決しようとする１つの課題である。
【００１７】
【課題を解決するための手段】
本発明は、支持体と、収束ミクロレンズアレイと、挿入された感光性ハロゲン化銀乳剤層ユニットを含んで成る感光性写真要素を提供する。
本発明は、カメラ組み合わせ及び画像形成方法も提供する。本発明の諸態様は、シーン露光域における感度及び寛容度の改良を提供する。
【００１８】
本発明の１つの目的は、低光条件下で画像を提供するのに有用な高感度ハロゲン化銀要素を提供することである。本発明のさらなる目的は、バックグラウンド輻射線に対する感度が低く、保存安定性が改良され、様々な照明条件下で画像を記録することのできる高感度ハロゲン化銀要素を提供することである。本発明のさらなる目的は、広い露光寛容度を有するハロゲン化銀要素を提供することである。
本発明の目的は、支持体と、収束ミクロレンズアレイと、挿入された感光性ハロゲン化銀乳剤層ユニットを含んで成る感光性写真要素を提供することによって達成される。
【００１９】
【発明の実施の形態】
撮影段階の間に、シーン情報が、露光経路内に介在するミクロレンズによって、パターンとして空間的に圧縮されコード化された形態で感光性材料上に像様露光される。ミクロレンズは、ハロゲン化銀とともに作用して、シーンからの光を分割し、シーンからの光の第１露光域と第２露光域を、より広い露光域を有するシーンからの画像情報を捕獲するように、一定の露光域を有するフィルム上に記録することによって、写真フィルムの有効画像捕獲寛容度を拡げる。ミクロレンズは、その第１露光域における露光を有効に促進し、第２露光域における露光を抑制する。像様露光された材料は、現像段階で現像され、圧縮された形態の実像を形成する。有用な画像は、走査及びデジタル再構成によるシーン情報の抽出によって形成される。
【００２０】
別の有用な読み取り方法において、実像は、ミクロレンズアレイを通して読み取ることにより再構成される。圧縮されたパターンが実像をリフォーム（ｒｅｆｏｒｍ）する平面を調節するように、適切な視野レンズを使用できる。視野レンズによって、撮影段階と読み取り段階の間の光学的互換性を得ることができる。従って、光学的に圧縮されコード化された情報は、光学的に再構成され、原シーンの内容を、適切かつ都合のよい画像形成面で、固体センサー又は感光性材料上に直接画像形成できる形態又は直接視覚化できる形態で再生する。
【００２１】
ミクロレンズアレイは、多数の結合したミクロレンズから形成される。個々のミクロレンズは、光を収束又は集中させるように形作られているという点で収束レンズである。ミクロレンズは、フィルム表面から突き出た突起を成している。個々の突起は、完全又は不完全な球体の一部のような形状をしている。従って、ミクロレンズは、球面部分レンズ（ｓｐｈｅｒｉｃａｌ  ｐｏｒｔｉｏｎ  ｍｉｃｒｏ−ｌｅｎｓ）であっても、非球面部分レンズ（ａｓｐｈｅｒｉｃａｌ  ｐｏｒｔｉｏｎ  ｍｉｃｒｏ−ｌｅｎｓ）であってもよく、両方のタイプのミクロレンズを同時に使用してもよい。球面部分ミクロレンズは、球体の一部の形状及び断面を有する。非球面部分ミクロレンズは、偏平な又は細長い球体の形状及び断面を有する。レンズが１〜１０００ミクロンの直径を有する円又はほぼ円形の投影を有するという点で、レンズはミクロである。円柱状部分ミクロレンズ（ｃｙｌｉｎｄｒｉｃａｌ  ｐｏｒｔｉｏｎ  ｍｉｃｒｏ−ｌｅｎｓ）は、円柱の一部の形状及び断面を有する。非円柱状部分ミクロレンズ（ａｃｙｌｉｎｄｒｉｃａｌ  ｐｏｒｔｉｏｎ  ｍｉｃｒｏ−ｌｅｎｓ）は、偏平な又は細長い円柱の形状及び断面を有する。ミクロレンズは、いずれも焦点距離又は開口が同じであるか、あるいは焦点距離又は開口が異なっていてもよい。各種の焦点距離を設定することによって、写真要素の異なる層ユニットでの細かい焦点合わせが可能となり、要素の露光寛容度を増大させることが可能となる。各種の開口を設定することによって、同様に、露光寛容度を増大させることが可能となる。ミクロレンズを、幾何学的に規則的に配列したアレイとすることも、幾何学的に不規則的なアレイとして配置することもできる。ミクロレンズは、支持体の全表面を覆っていても、要素表面の一部だけを覆っていてもよく、この場合にも露光寛容度の増大が可能となる。ミクロレンズは、永久的なもので写真薬剤による処理の工程で残るものであっても、一時的なもので写真薬剤による処理の工程の間に効果を失うものであってもよい。好ましさがより低い態様では、寛容度の増大を可能にするものであるか写真仕上げの間に除去できる円柱状ミクロレンズも使用できるが、有利性はより低い。
【００２２】
画像撮影システムでのミクロレンズアレイの使用は、記録されたシーン情報のデジタル又は光学的画像再構成と組み合わされた場合に、標準的な写真技術の範囲を典型的には超える低光条件下での写真撮影を可能にする。
【００２３】
この方法は、一回使用カメラなどの固定焦点カメラへの特別な適用性を有する。なぜなら、システムの被写界深度がカメラレンズのｆ値により制御される一方で、システムの有効感度がミクロレンズアレイのｆ値により制御されるからである。これによって、大きな被写界深度を有する「低感度」カメラ／レンズシステムでは低感度乳剤と見なされるであろうものを使用して超高感度写真を達成することができる。さらに、大きな被写界深度を有する「低感度」カメラシステムは大きな焦点深度も有し、より小さい被写界深度及び焦点深度特性を有する「高感度」カメラ／レンズシステムで達成できる許容範囲よりも広い許容範囲で経済的に生産できるため、カメラの生産性が改善される。さらに、安定な、低感受性ハロゲン化銀乳剤粒子を利益のあるように使用できるため、ハロゲン化銀ベースの画像の保存安定性、検査不感受性及び輻射線不感受性が改善される。本発明の要素は、さらに、広範囲の照明レベルで画像を記録することができる。
【００２４】
本発明は、シーンからの光を分割し、シーンからの光の第１露光域と第２露光域を、より広い露光域を有するシーンからの画像情報を捕獲するように、一定の露光域を有するフィルム上に記録することによって、写真フィルムの有効画像捕獲寛容度を拡げる写真システム及び写真法を提供する。本発明は、さらに、フィルム上に記録された画像形成情報からの許容可能な出力画像を再生する方法を提供する。
【００２５】
露光の際に、光は、一定パターンの集中部分（ｃｏｎｃｅｎｔｒａｔｅｄ  ｆｒａｃｔｉｏｎｓ）と非集中部分（ｕｎｃｏｎｃｅｎｔｒａｔｅｄ  ｆｒａｃｔｉｏｎ）とに分割される。集光は、レンズとして作用するビーズによって可能となる。光の集中部分は、フィルム上の第１領域を露光し、現像後、またシーンからの光が第１露光域に含まれる場合にはミクロレンズの幾何学的特徴に応じて、フィルム上に一定パターンのドットを形成する。非集中部分は、第１露光域と第２露光域が共にフィルムの所定の範囲よりも大きい場合に、第２露光域内の露光に由来する画像形成情報をフィルムが記録できるように、フィルムの第２領域を露光する。次に、フィルムを写真処理する。当該技術分野で知られているいかなる写真処理も使用できる。この写真処理は、任意選択的な脱銀を伴う現像工程を含むことがある。写真処理は、フィルムを写真処理用薬剤又は写真処理を可能にする周知の薬剤に接触させることにより行うことができる。写真処理は、フィルムを写真処理用薬剤若しくはｐＨ調節剤又はそれらの両方の水溶液に接触させることにより行うことができる。代わりに、フィルムは、加熱によって写真処理される又は写真処理を可能にする薬剤に接触させることと加熱との組み合わせによって写真処理される当該技術分野で知られているフォトサーモグラフィーフィルムであってもよい。写真処理後、フィルム上に記録された画像が露光過度（ｈｙｐｅｒ  ｅｘｐｏｓｕｒｅ）により形成された画像、露光不足（ｈｙｐｏ−ｅｘｐｏｓｕｒｅ）により形成された画像、又はこれらのある組み合わせを含むかどうかを決定する。フィルムを走査し、そして走査画像を処理して、露光過度領域又は露光不足領域のいずれか又は両方に由来する画像データに基づく画像を再生する。出力画像を、その最終用途に応じて、任意選択的にさらに改良及び処理する。
【００２６】
シーン光を分割しフィルム上に画像を形成するのに有用なカメラシステムは、シーンからの光をフィルム上に集める撮影レンズシステムを具備し、撮影レンズシステムとフィルムの間にミクロレンズアレイが配置される。
【００２７】
ミクロレンズアレイ内の各レンズは、撮影レンズシステムからの透過光の一部を受容し、その光を圧縮部分（ｃｏｍｐｒｅｓｓｅｄ  ｆｒａｃｔｉｏｎ）と非圧縮部分（ｕｎｃｏｍｐｒｅｓｓｅｄ  ｆｒａｃｔｉｏｎ）に分割する。ミクロレンズアレイの各レンズが所定の断面領域を有するために、この集光が達成される。画像からの光はこの所定の断面領域に当たり、レンズに入射した光の一部は集められる。光のこの集中された部分は、レンズの断面よりも小さい断面を有するフィルムの第１露光領域に向けられる。これによって、第１露光領域でのフィルムの有効露光量レベルは増加し、乳剤が反応して画像を形成するのを可能にする。しかしながら、レンズに入射した光、若しくはレンズによって不十分に集められた光又は散乱された光の幾らかは、第１露光領域に集められない。むしろ、光のこの非集中部分は、実質的な集光を生じずに透過してフィルムに到達し、周辺画像の形成を可能にする第２露光領域に入射する。光のこの非集中部分は、同じ露光でシーンとフィルムの間にミクロレンズアレイが配置されなかった場合にフィルムに入射するであろう光量よりも少ない。従って、ミクロレンズアレイは、フィルム上に画像を形成するためにより多量の光を露出中に利用できるように、第２領域に入射したシーンからの光を有効にフィルターする。その結果、ミクロレンズアレイは、第２露光域内の光を遮断し、フィルム上の第２画像範囲で示される範囲にわたって識別可能な画像を生成するのに適する第２露光を生じる。当然のことながら、第２露光域の上限及び下限が実際のフィルム寛容度内に含まれ、フィルム上に記録できる。これによって、フィルムの上側の露光閾値は有効に拡大する。この議論は、人が見えるシーンを捕獲することを意図したハロゲン化銀写真に関する特定の態様で行ったが、当然のことながら、本発明は、広いシーン輝度範囲及び人には見えない分光領域を捕獲することに容易に適用でき、感光性材料は必要な画像形成特性を有する当該技術分野で知られているいかなる感光性材料であってもよい。可能になった寛容度の有効な増加量は少なくとも０．１５ｌｏｇＥであることができるが、好ましくは少なくとも０．３ｌｏｇＥ、より好ましくは少なくとも０．６ｌｏｇＥ、非常に好ましくは少なくとも０．９ｌｏｇＥである。
【００２８】
有用な画像形成システムにおいて、カメラレンズ及びミクロレンズアレイは協同的に感光性材料上にシーンを結像する。光の集中度、又は球面若しくは非球面部分ミクロレンズにより集光する際の有効な写真感度の増加は、２つのレンズのｆ値の比の二乗である。感度利得（ｌｏｇ相対Ｅ単位）＝２×ｌｏｇ（カメラレンズのｆ値／ミクロレンズのｆ値）。好ましさがより低い円柱状部分ミクロレンズは、それらが一方向のみで光を集めるために、そのような改良の平方根だけを可能にする。好ましいミクロレンズアレイによる集光は、システムの感度利得と感光性材料上へのドットパターンの形成の両方を可能にする。カメラの寸法及びカメラレンズの詳細な特性は、露光瞳（絞り）から画像までの距離、すなわちカメラの焦点距離を決める。カメラ画像はミクロレンズにおいて形成される。ミクロレンズ特性がミクロレンズの焦点距離を決め、ミクロレンズ画像は感光性層において形成される。カメラレンズのｆ値はカメラの焦点深度及び被写界深度を制御するのに対し、ミクロレンズのｆ値はカメラの有効開口を制御する。カメラレンズの大きいｆ値を使用することによって、広い焦点深度及び被写界深度とともに優れた鮮鋭度が得られる。ミクロレンズに小さいｆ値を使用することによって、「低感度」のものと通常見なされている乳剤によって高システム感度が得られる。この特別な感度は、「高感度」乳剤に通常付随する熱及び輻射線不安定性のない利用可能な光写真を与える。従って、カメラレンズのｆ値とミクロレンズのｆ値の有用な組み合わせはシステム感度利得を可能にするものである。０．１５ｌｏｇＥ又は１／２絞りのシステム感度利得は有用であるが、少なくとも０．２ｌｏｇＥのシステム感度利得が好ましく、少なくとも０．３ｌｏｇＥのシステム感度利得がより好ましく、少なくとも０．５ｌｏｇＥのシステム感度利得がより一層好ましく、少なくとも０．８ｌｏｇＥのシステム感度利得が非常に好ましい。意図する目的に適する被写界深度を有するカメラレンズによる感度利得を可能にするいかなるミクロレンズｆ値も利益のあるように使用でき、典型的には１．５〜１６のミクロレンズｆ値が有用であるが、ｆ／２〜ｆ／７の範囲内のミクロレンズｆ値が好ましく、ｆ／３〜ｆ／６の範囲内のミクロレンズｆ値がより好ましい。
【００２９】
ミクロレンズの表面被覆量は有用なものであればよいが、写真要素又はフィルムの投影面積に対するミクロレンズの投影面積の比は少なくとも２０％、好ましくは少なくとも３０％、より好ましくは少なくとも５０％、さらに一層好ましくは少なくとも７０％で、８５％以下、若しくは９５％以下、又は最密充填の限界であってもよい。正確な表面被覆の程度は、有用な写真粒状性及び鮮鋭性を保ちながら露光寛容度の増加を可能にするように調節できる。表面被覆量を調節することは、上記の第１露光域及び第２露光域と感光性材料の固有露光域に一致する影響を受けない範囲の間で光を分配する方法であることができる。従って、充填比（ｆｉｌｌ−ｆａｃｔｏｒ）が９５％未満であることが好ましいであろうし、充填比が９０％未満であることがより好ましく、充填比が８５％未満であることがより一層好ましく、充填比が７５％未満であることがさらに一層好ましい。
【００３０】
望ましい結果を達成するには、画像フレーム当たりいかなる有用な数のミクロレンズも使用できるが、具体的構成で使用すべき実際の数はその構成に依存する。例えば、写真材料の支持体側に一体的なミクロレンズを形成することにより望ましいミクロレンズ焦点距離を固定し、組み合わせたレンズシステムの望ましいシステム感度利得によりミクロレンズのｆ値を固定する場合、１０〜１００ミクロンのミクロレンズ開口又はピッチに遭遇することがある。大きさがおよそ２４×３６ｍｍの１３５フォーマットフレームは、全表面被覆で８万６千〜８６０万個のミクロレンズを有することができる。短い焦点距離を有する乳剤側のミクロレンズは、３〜３０ミクロンの間の有用な開口又はピッチを有することができる。これは、全表面被覆で１３５フォーマットフレーム当たりおよそ９６万〜９６００万個のミクロレンズに相当する。ミクロレンズの焦点距離の自由度がより大きいカメラに搭載されるミクロレンズは、５００ミクロン以下又はそれ以上の開口又はピッチをとることができる。
【００３１】
図１に、撮影レンズ１０３、開口絞り１０５及び感光性要素を有するカメラ１０１を示す。要素は支持体１１１、ミクロレンズアレイ１０７及び挿入された感光性層ユニット１０９を有する。他のカメラ要素、例えばシャッター及びレリーズ、フィルムリール及び前進機構、ビューファインダーなどは、明確にするために省略した。カメラ内での像様露光の際に、挿入されたミクロレンズアレイは、感光性要素の特定の部分に光を集めるように作用し（光線を１１３と示す）、カメラのシステム感度を有効に増大させる一方で、感光性要素上にドット又は線状の露光パターン（一部を１１５として示す）を生じる。カメラレンズとミクロレンズアレイは協同的に感光性材料上にシーンを結像する。光の集中度、又は球面若しくは非球面部分ミクロレンズにより光を集める際の有用な写真感度利得は、２つのレンズのｆ値の比の二乗である。好ましいミクロレンズアレイによる集光は、システムの感度利得と、感光性材料上への圧縮パターンの形成の両方を可能にする。この図には、写真材料の乳剤側の一部として一体型のミクロレンズアレイが示されている。この構成は、ゼラチンオーバーコートにミクロレンズを型押することにより作られる。この場合に、未硬化のゼラチンが特に有用である。他の構成は、予め形成されたミクロレンズを従来型の写真材料の乳剤側に適用することを含む。カメラの寸法及びカメラレンズの詳細な特性は、露光瞳から画像までの距離を決める。この図において、露光瞳位置又は開口位置は、カメラレンズとおよそ一致する。カメラレンズのｆ値はカメラの焦点深度及び被写界深度を制御するのに対し、ミクロレンズのｆ値はカメラの有効開口を制御する。カメラレンズに大きいｆ値を使用することによって、広い焦点深度及び被写界深度とともに優れた鮮鋭度が得られる。ミクロレンズに小さいｆ値を使用することによって、「低感度」のものと通常見なされている乳剤を使用して高システム感度が得られる。この特別な感度は、「高感度」乳剤に通常付随する熱及び輻射線不安定性のない利用可能な光写真を与える。
【００３２】
図３に、球面部分ミクロレンズ２０３を有する写真要素２０１の一部を示す。レンズは、ミクロレンズを実際に形成している突出部の球状特徴を示すために区別できるハッチングを用いて示されている。ミクロレンズは、ミクロ構造技術分野で知られているいかなる物質中に形成されてもよい。これらのレンズは、例えば製造時に材料中に直接型押することによって要素と一体的であるか、又はこれらのレンズは要素に適用される別個の層と一体的であってもよい。ミクロレンズは、写真処理に耐えて構造及び機能を残すのに十分に永久的なものであっても、それらの構造及び機能を変化する方式で写真処理の間に変化するものであってもよい。キャスト若しくは型押し硬化させたゼラチン層又は高Ｔｇ若しくは写真薬剤に不溶性のポリマー層は、永久的なミクロレンズ構造の一例を与えるが、キャスト若しくは型押した未硬化のゼラチン層又は低Ｔｇ若しくは写真薬剤に可溶性のポリマー層は、写真処理により変化可能なミクロレンズ構造の例を与える。図２には、非球面部分ミクロレンズ２０７を有する写真要素支持体２０５と、別の非球面ミクロレンズを有する別の支持体２０９が示されている。これらのレンズは、ミクロレンズを実際に形成している突出部の球状特徴を示すために区別できるハッチングを用いて示されている。非球面ミクロレンズは、ミクロレンズと感光性層の間の間隔とはほとんど独立に、そのようなレンズの可変半径がレンズの焦点距離及びレンズの開口を制御することを可能にするという点で、この用途で特に有用である。これらの断面は球状又は非球状として記載されているが、これらの略図は、断面が円柱状又は非円柱状のミクロレンズを同様に表すということが十分に判るであろう。支持体上へのミクロレンズの既知の形成、並びに支持体の厚さ、ミクロレンズの開口、ミクロレンズの半径及びミクロレンズの焦点距離の間の厳密な関係は、レンチキュラー写真用途での従来の主な欠点である。
【００３３】
図３に、球面ミクロレンズの幾つかの有用なパターンの正面図を示す。六角形最密充填アレイパターンが３０１として示されている。正方形最密充填アレイパターンが３０３として示されている。オフセット四角形最密充填アレイパターンが３０５として示されている。別個の開口又は焦点距離を持つ領域を有する最密充填四角形アレイパターンが３０７として示されている。ランダムな非最密充填アレイが３０９として示されている。別個の開口又は焦点距離を持つ領域を有するランダムな非最密充填アレイが３１１として示されている。図３０１〜３０７は球面又は非球面ミクロレンズに関する。これらのパターンのいずれを非球面ミクロレンズと組み合わせても、下側の写真層に寛容度の拡大がもたらされることが判るであろう。さらに、ミクロレンズパターンのいずれも、写真寛容度の拡大を可能にする非最密充填方式で適用することができる。円柱状又は非円柱状ミクロレンズは３１３として示されている。この場合も先と同様に、調節可能な開口、焦点距離及び幅パターンが挙げられる。ミクロレンズのいかなる表面被覆量も使用できるが、写真要素の投影面積に対するミクロレンズの投影面積の比は少なくとも２０％、好ましくは少なくとも３０％、より好ましくは少なくとも５０％、より一層好ましくは少なくとも７０％で、８０％以下、若しくは９０％以下、さらには最密充填限界であることができる。正確な表面被覆の程度は、有用な写真粒状性及び鮮鋭性を保ちながら露光寛容度のレベルを変えることができるように調節できる。
【００３４】
図４は、ミクロレンズと支持体の間に挿入された感光性ハロゲン化銀層を有する感光性要素をさらに詳しく示すものである。この図において、写真要素４０１は支持体４０３を含む。支持体は、赤感光性色形成ユニット４０７と、緑感光性受性色形成ユニット４１１と、赤感光性色形成ユニット４１５を、中間層４０９及び４１３並びに保護オーバーコート４１７とともに有する。保護オーバーコート４１７はミクロレンズ４１９をさらに含む。中間層及び補助層（図示せず）は、当該技術分野で知られているように、色素、安定化剤及びスカベンジャーをさらに含む。これらの色形成ユニットは、当該技術分野で知られているように１つ以上の層から成ることができる。別の態様において、図示していないが、色形成層を１つ以上のオルト又はパン増感層と置き換えて、黒白記録材料を形成することができる。
【００３５】
図５は、ミクロレンズ５４１及び挿入された感光性層を有する感光性要素５０１をさらに詳細に示すものである。この図において、超高感度の広い寛容度の写真に有用な層構成は、最高感度青感層５３７、最高感度緑感層５３３、高感度赤感層５２９、低感度青感層５２５、最低感度青感層５２３、中感度緑感層５１９、低感度緑感層５１７、最低感度緑感層５１５、高感度赤感層５１１、低感度赤感層５０９、最低感度赤感層５０７、ミクロレンズを有する紫外線及び光吸収性保護層５３９、並びに中間層５１３，５２１，５２７，５３１及び５３５を有する。当該技術分野で知られている下引き層及び補助層（図示せず）と共に中間層は、当該技術分野で知られているような色素、安定化剤及びスカベンジャーをさらに含むことができる。
【００３６】
ミクロレンズ及び写真要素の感光性層に対するそれらの関係についての有用なパラメータは以下の定義から得られる：
「ミクロレンズの半径」は、ミクロレンズの球面状の突出部の曲率半径である。非球面ミクロレンズの場合、この値はミクロレンズの表面に沿って変化する。「ミクロレンズの開口」は、直径と通常記述される、ミクロレンズにより形成される断面積である。球面ミクロレンズの場合、この直径は、必然的にミクロレンズの半径の２倍以下である。非球面ミクロレンズの場合、この直径は、ミクロレンズで遭遇する最小半径の２倍を超える場合がある。別個の開口を有する異なるサイズのミクロレンズを使用することによって、ミクロスケールでの個別の感度利得のレベルが可能であり、写真層に相応しい露光寛容度の拡大が可能である。
「ミクロレンズの焦点距離」は、ミクロレンズから感光性層までの距離である。感光性層に対して支持体の反対側にあるミクロレンズの場合、これは、通常、およそ支持体の厚さに設定される。ミクロレンズの使用によって、個々の色記録の感度を選択的に高めることができることが判る。この特徴は、薄暗い白熱灯により照明された室内などの特定の不均一なライティング状況で特に重要な場合がある。例えば、白熱灯により照明される環境で使用するためのカメラ及びフィルムの場合に、ミクロレンズは、好ましくは青感層上に焦点を合わせるように設計でき、それにより青光レジーム（ｒｅｇｉｍｅ）の増加をより大きくするとともに、よりカラーバランスのとれた状況を達成することを可能にする。必要に応じて、他の色を同様に向上することができる。
「ミクロレンズのｆ値」は、ミクロレンズの開口をミクロレンズの焦点距離で割ったものである。
【００３７】
球面ミクロレンズの場合、レンズの公式に従って適切なミクロレンズ半径を定義するために、望ましいミクロレンズの焦点距離を使用することができる。ミクロレンズ半径は、ミクロレンズの焦点距離を（ｎ２−ｎ１）／ｎ２  倍したものである。ここで、ｎ１  はミクロレンズの外側の材料（典型的には、屈折率が１の空気）の屈折率であり、一方、ｎ２  はミクロレンズ及び付属の写真材料（写真支持体に使用されるプラスチック及び写真的に有用なゼラチンは典型的には１．４〜１．６の屈折率を有する）の屈折率である。ミクロレンズを形成するために使用される材料、写真支持体及び感光性層用のバインダーの屈折率ができるだけ同じである場合に、優れた光学的特性が得られる。最低屈折率に対する最高屈折率の比が０．８〜１．２であることが好ましく、この比が０．９〜１．１であることがより好ましく、この比が０．９５〜１．０５であることがより一層好ましい。しかしながら、屈折率の意図的な不一致は、光の散乱及び反射を促進し、それにより残りの画像形成の程度に影響を及ぼす。
【００３８】
典型的な写真システムの構成要素の既知の屈折率によると、有用な球面ミクロレンズはミクロレンズ半径を約３倍したミクロレンズ焦点距離を有する（（ｎ２−ｎ１）／ｎ２  は約１／３）。このような状況で、球面ミクロレンズは、写真材料のその他の要件に応じてミクロレンズの開口及び焦点距離を調節する際の設計上の融通性の程度をより大きくすることができる。
【００３９】
本発明に有用な感光性層及び写真支持体を形成するのに有用な材料は当業者に知られている。それらの材料は、当該技術分野で知られている方法のいずれでも、又は当該技術分野で知られている組み合わせのいずれでも使用できる。典型的には、材料は溶融状態で組み込まれるか、又は本明細書に記載のように層として支持体上にコートされ、写真要素の一部を成す。「関連して」なる用語を使用する場合、この用語は、反応性化合物が、処理中に他の成分と反応できる特定の層中に存在するか又は特定の層に隣接して存在することを意味する。
【００４０】
特に断らない限り、「基」、「置換された」又は「置換基」なる用語の使用は、水素以外の任意の基又は原子を意味する。さらに、本明細書において、置換可能な水素を含む化合物又は基に言及した場合、その置換基が意図する用途に必要な特性を損なわない限りにおいて、その置換基の未置換形態だけでなく、ここに挙げる任意の置換基（複数であってもよい）でさらに置換された形態のものも包含する。好適には、置換基はハロゲンであってもよく、又は炭素、ケイ素、酸素、窒素、リン若しくは硫黄の原子によって分子の残りの部分に結合されるものであってもよい。この置換基は、例えば、ハロゲン、例えば塩素、臭素、又はフッ素；ニトロ；ヒドロキシル；シアノ；カルボキシル；あるいは直鎖若しくは分岐又は環状アルキルを包含するアルキル、例えばメチル、トリフルオロメチル、エチル、ｔ−ブチル、３−（２，４−ジ−ｔ−ペンチルフェノキシ）プロピル及びテトラデシル；アルケニル、例えばエチレン、２−ブテン；アルコキシ、例えばメトキシ、エトキシ、プロポキシ、ブトキシ、２−メトキシエトキシ、ｓｅｃ−ブトキシ、ヘキシルオキシ、２−エチルヘキシルオキシ、テトラデシルオキシ、２−（２，４−ジ−ｔ−ペンチルフェノキシ）エトキシ及び２−ドデシルオキシエトキシ；アリール、例えばフェニル、４−ｔ−ブチルフェニル、２，４，６−トリメチルフェニル、ナフチル；アリールオキシ、例えばフェノキシ、２−メチルフェノキシ、α−又はβ−ナフチルオキシ及び４−トリルオキシ；カルボンアミド、例えばアセトアミド、ベンズアミド、ブチルアミド、テトラデカンアミド、α−（２，４−ジ−ｔ−ペンチルフェノキシ）アセトアミド、α−（２，４−ジ−ｔ−ペンチルフェノキシ）ブチルアミド、α−（３−ペンタデシルフェノキシ）−ヘキサンアミド、α−（４−ヒドロキシ−３−ｔ−ブチルフェノキシ）−テトラデカンアミド、２−オキソ−ピロリジン−１−イル、２−オキソ−５−テトラデシルピロリン−１−イル、Ｎ−メチルテトラデカンアミド、Ｎ−スクシンイミド、Ｎ−フタルイミド、２，５−ジオキソ−１−オキサゾリジニル、３−ドデシル−２，５−ジオキソ−１−イミダゾリル及びＮ−アセチル−Ｎ−ドデシルアミノ、エトキシカルボニルアミノ、フェノキシカルボニルアミノ、ベンジルオキシカルボニルアミノ、ヘキサデシルオキシカルボニルアミノ、２，４−ジ−ｔ−ブチルフェノキシカルボニルアミノ、フェニルカルボニルアミノ、２，５−（ジ−ｔ−ペンチルフェニル）カルボニルアミノ、ｐ−ドデシルフェニルカルボニルアミノ、ｐ−トリルカルボニルアミノ、Ｎ−メチルウレイド、Ｎ，Ｎ−ジメチルウレイド、Ｎ−メチル−Ｎ−ドデシルウレイド、Ｎ−ヘキサデシルウレイド、Ｎ，Ｎ−ジオクタデシルウレイド、Ｎ，Ｎ−ジオクチル−Ｎ’−エチルウレイド、Ｎ−フェニルウレイド、Ｎ，Ｎ−ジフェニルウレイド、Ｎ−フェニル−Ｎ−ｐ−トリルウレイド、Ｎ−（ｍ−ヘキサデシルフェニル）ウレイド、Ｎ，Ｎ−（２，５−ジ−ｔ−ペンチルフェニル）−Ｎ’−エチルウレイド及びｔ−ブチルカルボンアミド；スルホンアミド、例えばメチルスルホンアミド、ベンゼンスルホンアミド、ｐ−トリルスルホンアミド、ｐ−ドデシルベンゼンスルホンアミド、Ｎ−メチルテトラデシルスルホンアミド、Ｎ，Ｎ−ジプロピル−スルファモイルアミノ及びヘキサデシルスルホンアミド；スルファモイル、例えばＮ−メチルスルファモイル、Ｎ−エチルスルファモイル、Ｎ，Ｎ−ジプロピルスルファモイル、Ｎ−ヘキサデシルスルファモイル、Ｎ，Ｎ−ジメチルスルファモイル、Ｎ−［３−（ドデシルオキシ）プロピル］スルファモイル、Ｎ−［４−（２，４−ジ−ｔ−ペンチルフェノキシ）ブチル］スルファモイル、Ｎ−メチル−Ｎ−テトラデシルスルファモイル及びＮ−ドデシルスルファモイル；カルバモイル、例えばＮ−メチルカルバモイル、Ｎ，Ｎ−ジブチルカルバモイル、Ｎ−オクタデシルカルバモイル、Ｎ−［４−（２，４−ジ−ｔ−ペンチルフェノキシ）ブチル］カルバモイル、Ｎ−メチル−Ｎ−テトラデシルカルバモイル及びＮ，Ｎ−ジオクチルカルバモイル；アシル、例えばアセチル、（２，４−ジ−ｔ−アミルフェノキシ）アセチル、フェノキシカルボニル、ｐ−ドデシルオキシフェノキシカルボニル、メトキシカルボニル、ブトキシカルボニル、テトラデシルオキシカルボニル、エトキシカルボニル、ベンジルオキシカルボニル、３−ペンタデシルオキシカルボニル及びドデシルオキシカルボニル；スルホニル、例えばメトキシスルホニル、オクチルオキシスルホニル、テトラデシルオキシスルホニル、２−エチルヘキシルオキシスルホニル、フェノキシスルホニル、２，４−ジ−ｔ−ペンチルフェノキシスルホニル、メチルスルホニル、オクチルスルホニル、２−エチルヘキシルスルホニル、ドデシルスルホニル、ヘキサデシルスルホニル、フェニルスルホニル、４−ノニルフェニルスルホニル及びｐ−トリルスルホニル；スルホニルオキシ、例えばドデシルスルホニルオキシ及びヘキサデシルスルホニルオキシ；スルフィニル、例えばメチルスルフィニル、オクチルスルフィニル、２−エチルヘキシルスルフィニル、ドデシルスルフィニル、ヘキサデシルスルフィニル、フェニルスルフィニル、４−ノニルフェニルスルフィニル及びｐ−トリルスルフィニル；チオ、例えばエチルチオ、オクチルチオ、ベンジルチオ、テトラデシルチオ、２−（２，４−ジ−ｔ−ペンチルフェノキシ）エチルチオ、フェニルチオ、２−ブトキシ−５−ｔ−オクチルフェニルチオ及びｐ−トリルチオ；アシルオキシ、例えばアセチルオキシ、ベンゾイルオキシ、オクタデカノイルオキシ、ｐ−ドデシルアミドベンゾイルオキシ、Ｎ−フェニルカルバモイルオキシ、Ｎ−エチルカルバモイルオキシ及びシクロヘキシルカルボニルオキシ；アミン、例えばフェニルアニリノ、２−クロロアニリノ、ジエチルアミン、ドデシルアミン；イミノ、例えば１−（Ｎ−フェニルイミド）エチル、Ｎ−スクシンイミド又は３−ベンジルヒダントイニル；ホスフェート、例えばジメチルホスフェート及びエチルブチルホスフェート；ホスフィット、例えばジエチルホスフィット及びジヘキシルホスフィット；複素環式基、複素環式オキシ基又は複素環式チオ基（これらの各々は置換されていてもよく、酸素、窒素及び硫黄からなる群より選ばれる少なくとも１つのヘテロ原子と炭素原子とを含んでなる３〜７員複素環を含む）、例えば２−フリル、２−チエニル、２−ベンゾイミダゾリルオキシ又は２−ベンゾチアゾリル；第四級アンモニウム、例えばトリエチルアンモニウム；並びにシリルオキシ、例えばトリメチルシリルオキシなどの基（さらに置換されていてもよい）であってもよい。
【００４１】
必要に応じて、これらの置換基は、それら自体が、上記の置換基でさらに１回以上置換されていてもよい。当業者は、使用する個々の置換基を、個々の用途にとって望ましい写真特性を達成するように選ぶことができ、使用される置換基としては、例えば疎水性基、可溶化基、ブロッキング基、放出性の又は放出可能な基等が挙げられる。分子が２個以上の置換基を有する場合に、特に断らない限り、置換基が互いに結合して縮合環等の環を形成していてもよい。一般的に、上記の基及びそれらの置換基としては、炭素原子を最大４８個まで、典型的には１〜３６個、通常は２４個未満で有するものが挙げられるが、選ばれた特定の置換基によっては、炭素原子数がさらに増加する場合もある。
【００４２】
各種成分の移行を制御するため、カプラー分子には高分子量疎水性基又は「バラスト」基を含めることが望ましい場合がある。代表的なバラスト基としては、置換又は非置換の炭素原子数８〜４８のアルキル基又はアリール基が挙げられる。このような基に対する代表的な置換基として、アルキル、アリール、アルコキシ、アリールオキシ、アルキルチオ、ヒドロキシ、ハロゲン、アルコキシカルボニル、アリールオキシカルボニル、カルボキシ、アシル、アシルオキシ、アミノ、アニリノ、カルボンアミド、カルバモイル、アルキルスルホニル、アリールスルホニル、スルホンアミド及びスルファモイルの各基が挙げられる。これらの置換基は１〜４２個の炭素原子を含むことが典型的である。そのような置換基は、さらに置換されていてもよい。
【００４３】
写真要素は、単色要素であっても多色要素であってもよい。多色要素は、スペクトルの三つの主領域の各々に対して感受性の画像色素生成ユニットを含有する。各ユニットは、スペクトルの所定の領域に感受性の１つの乳剤層又は複数の乳剤層を含むことができる。画像形成ユニットの層をはじめとする写真要素を構成する層は、当該技術分野で知られているような様々な順序で配置することができる。別のフォーマットでは、スペクトルの三つの主領域の各々に対して感受性の乳剤を、１つのセグメント化された層として配置することもできる。
【００４４】
典型的な多色写真要素は支持体を含み、この支持体は、少なくとも１種のシアン色素生成カプラーと関連させた少なくとも１種の赤感光性ハロゲン化銀乳剤層を含むシアン色素画像形成ユニットと、少なくとも１種のマゼンタ色素生成カプラーと関連させた少なくとも１層の緑感光性ハロゲン化銀乳剤層を含むマゼンタ色素画像形成ユニットと、少なくとも１種のイエロー色素生成カプラーと関連させた少なくとも一層の青感光性ハロゲン化銀乳剤層を含むイエロー色素画像形成ユニットとを担持している。分光感度と色形成の当該技術分野で知られている他の組み合わせも使用できる。要素は、フィルター層、中間層、オーバーコート層、下塗層等のような別の層をさらに含んでもよい。
【００４５】
必要に応じて、写真要素を、リサーチ・ディスクロージャー（１９９２年１１月、アイテム３４３９０、Ｋｅｎｎｅｔｈ  Ｍａｓｏｎ  Ｐｕｂｌｉｃａｔｉｏｎｓ（Ｄｕｄｌｅｙ  Ａｎｎｅｘ，  １２ａ  Ｎｏｒｔｈ  Ｓｔｒｅｅｔ，Ｅｍｓｗｏｒｔｈ，  Ｈａｍｐｓｈｉｒｅ，  Ｐ０１０  ７ＤＱ，  ＥＮＧＬＡＮＤ）  の刊行物）や、日本国特許庁から入手可能な発明協会公開技報第９４−６０２３号（１９９４年３月１５日発行）に記載されているような適用された磁性層と併用することができる。本発明の材料をフォーマットの小さなフィルムに使用したい場合には、リサーチ・ディスクロージャー（１９９４年６月、アイテム３６２３０）に適当な態様が記載されている。
【００４６】
本発明の乳剤及び要素において使用するのに好適な材料に関する以下の記述では、上記のように入手できるリサーチ・ディスクロージャー（１９９６年９月、アイテム３８９５７）を参照することとする。本明細書ではこの文献を以下「リサーチ・ディスクロージャー」と称することとする。以下で引用するセクションとは、このリサーチ・ディスクロージャーのセクションを指す。
【００４７】
特記しない限り、本発明で用いられるハロゲン化銀乳剤含有要素は、当該要素と共に提供される処理の説明書の種類（即ち、カラーネガ、反転又は直接ポジ処理）によって示されているようなネガ型にもポジ型にもなることができる。好適な乳剤及びその調製、並びに化学増感及び分光増感方法は、セクションＩ〜Ｖに記載されている。ＵＶ色素、蛍光増白剤、カブリ防止剤、安定化剤、光吸収及び散乱材料等の種々の添加剤、並びに硬膜剤、塗布助剤、可塑剤、滑剤及び艶消し剤等の物性改良添加剤は、例えば、セクションＩＩ及びＶＩ〜ＶＩＩＩに記載されている。色料は、セクションＸ〜ＸＩＩＩに記載されている。カプラー及び色素（有機溶剤中の分散体を含む）の好適な導入方法は、セクションＸ（Ｅ）に記載されている。走査促進化については、セクションＸＩＶに記載されている。支持体、露光、現像システム並びに処理方法及び処理剤は、セクションＸＶ〜ＸＸに記載されている。上記リサーチ・ディスクロージャー、アイテム３６５４４  、１９９４年９月に含まれる情報は、リサーチ・ディスクロージャー、アイテム３８９５７  、１９９６年９月において、更新された。カラー反射プリントとの併用に有用なものをはじめとするある種の好ましい写真要素及び処理工程が、リサーチ・ディスクロージャー、アイテム３７０３８  、１９９５年２月に記載されている。
【００４８】
カップリング離脱基は当該技術分野では周知である。そのような基は、カプラーの化学的当量、すなわち２当量カプラーであるか４当量カプラーであるかを決めるか、或いはカプラーの反応性を調節することができる。そのような基は、カプラーがコートされる層又は写真記録材料中の別の層に、カプラーから放出された後に色素生成、色素色相調節、現像促進若しくは抑制、漂白促進若しくは抑制、電子移動促進、色補正等の機能を発揮することにより、有利な影響を及ぼすことができる。
【００４９】
カップリング部位に水素が存在する場合には４当量カプラーが得られ、別のカップリング離脱基が存在する場合には通常は２当量カプラーが得られる。このようなカップリング離脱基の代表的な種類として、例えばクロロ、アルコキシ、アリールオキシ、ヘテロオキシ、スルホニルオキシ、アシルオキシ、アシル、ヘテロシクリル、スルホンアミド、メルカプトテトラゾール、ベンゾチアゾール、メルカプトプロピオン酸、ホスホニルオキシ、アリールチオ及びアリールアゾが挙げられる。これらのカップリング離脱基は、例えば、米国特許第２，４５５，１６９号、第３，２２７，５５１号、第３，４３２，５２１号、第３，４７６，５６３号、第３，６１７，２９１号、第３，８８０，６６１号、第４，０５２，２１２号及び第４，１３４，７６６号並びに英国特許第１，４６６，７２８号、第１，５３１，９２７号、第１，５３３，０３９号、英国特許出願公開第２，００６，７５５Ａ号及び第２，０１７，７０４Ａ号明細書に記載されている。
【００５０】
「Ｆａｒｂｋｕｐｐｌｅｒ−ｅｉｎｅ  Ｌｉｔｅｒａｔｕｒｅ  Ｕｂｅｒｓｉｃｈｔ  」、Ａｇｆａ  Ｍｉｔｔｅｉｌｕｎｇｅｎ発行、第ＩＩＩ巻、１５６−１７５  頁（１９６１）並びに米国特許第２，３６７，５３１号、第２，４２３，７３０号、第２，４７４，２９３号、第２，７７２，１６２号、第２，８９５，８２６号、第３，００２，８３６号、第３，０３４，８９２号、第３，０４１，２３６号、第４，３３３，９９９号、第４，７４６，６０２号、第４，７５３，８７１号、第４，７７０，９８８号、第４，７７５，６１６号、第４，８１８，６６７号、第４，８１８，６７２号、第４，８２２，７２９号、第４，８３９，２６７号、第４，８４０，８８３号、第４，８４９，３２８号、第４，８６５，９６１号、第４，８７３，１８３号、第４，８８３，７４６号、第４，９００，６５６号、第４，９０４，５７５号、第４，９１６，０５１号、第４，９２１，７８３号、第４，９２３，７９１号、第４，９５０，５８５号、第４，９７１，８９８号、第４，９９０，４３６号、第４，９９６，１３９号、第５，００８，１８０号、第５，０１５，５６５号、第５，０１１，７６５号、第５，０１１，７６６号、第５，０１７，４６７号、第５，０４５，４４２号、第５，０５１，３４７号、第５，０６１，６１３号、第５，０７１，７３７号、第５，０７５，２０７号、第５，０９１，２９７号、第５，０９４，９３８号、第５，１０４，７８３号、第５，１７８，９９３号、第５，８１３，７２９号、第５，１８７，０５７号、第５，１９２，６５１号、第５，２００，３０５号、第５，２０２，２２４号、第５，２０６，１３０号、第５，２０８，１４１号、第５，２１０，０１１号、第５，２１５，８７１号、第５，２２３，３８６号、第５，２２７，２８７号、第５，２５６，５２６号、第５，２５８，２７０号、第５，２７２，０５１号、第５，３０６，６１０号、第５，３２６，６８２号、第５，３６６，８５６号、第５，３７８，５９６号、第５，３８０，６３８号、第５，３８２，５０２号、第５，３８４，２３６号、第５，３９７，６９１号、第５，４１５，９９０号、第５，４３４，０３４号及び第５，４４１，８６３号明細書、欧州特許第０２４６６１６号、第０２５０２０１号、第０２７１３２３号、第０２９５６３２号、第０３０７９２７号、第０３３３１８５号、第０３７８８９８号、第０３８９８１７号、第０４８７１１１号、第０４８８２４８号、第０５３９０３４号、第０５４５３００号、第０５５６７００号、第０５５６７７７号、第０５５６８５８号、第０５６９９７９号、第０６０８１３３号、第０６３６９３６号、第０６５１２８６号及び第０６９０３４４号、独国特許公開第４，０２６，９０３号、第３，６２４，７７７号及び第３，８２３，０４９号公報等の代表的な特許明細書及び刊行物に記載されている、発色現像主薬酸化体との反応によってシアン色素を形成するカプラー等の画像色素生成カプラーを要素に含めることもできる。そのようなカプラーの典型例は、フェノール類、ナフトール類又はピラゾロアゾール類である。
【００５１】
発色現像主薬酸化体との反応によってマゼンタ色素を生成するカプラーは、「Ｆａｒｂｋｕｐｐｌｅｒ−ｅｉｎｅ  Ｌｉｔｅｒａｔｕｒｅ  Ｕｂｅｒｓｉｃｈｔ」、Ａｇｆａ  Ｍｉｔｔｅｉｌｕｎｇｅｎ発行、第ＩＩＩ  巻、１２６−１５６  頁（１９６１）、並びに米国特許第２，３１１，０８２号、第２，３６９，４８９号、第２，３４３，７０１号、第２，６００，７８８号、第２，９０８，５７３号、第３，０６２，６５３号、第３，１５２，８９６号、第３，５１９，４２９号、第３，７５８，３０９号、第３，９３５，０１５号、第４，５４０，６５４号、第４，７４５，０５２号、第４，７６２，７７５号、第４，７９１，０５２号、第４，８１２，５７６号、第４，８３５，０９４号、第４，８４０，８７７号、第４，８４５，０２２号、第４，８５３，３１９号、第４，８６８，０９９号、第４，８６５，９６０号、第４，８７１，６５２号、第４，８７６，１８２号、第４，８９２，８０５号、第４，９００，６５７号、第４，９１０，１２４号、第４，９１４，０１３号、第４，９２１，９６８号、第４，９２９，５４０号、第４，９３３，４６５号、第４，９４２，１１６号、第４，９４２，１１７号、第４，９４２，１１８号、第４，９５９，４８０号、第４，９６８，５９４号、第４，９８８，６１４号、第４，９９２，３６１号、第５，００２，８６４号、第５，０２１，３２５号、第５，０６６，５７５号、第５，０６８，１７１号、第５，０７１，７３９号、第５，１００，７７２号、第５，１１０，９４２号、第５，１１６，９９０号、第５，１１８，８１２号、第５，１３４，０５９号、第５，１５５，０１６号、第５，１８３，７２８号、第５，２３４，８０５号、第５，２３５，０５８号、第５，２５０，４００号、第５，２５４，４４６号、第５，２６２，２９２号、第５，３００，４０７号、第５，３０２，４９６号、第５，３３６，５９３号、第５，３５０，６６７号、第５，３９５，９６８号、第５，３５４，８２６号、第５，３５８，８２９号、第５，３６８，９９８号、第５，３７８，５８７号、第５，４０９，８０８号、第５，４１１，８４１号、第５，４１８，１２３号及び第５，４２４，１７９号明細書、欧州特許第０２５７８５４号、第０２８４２４０号、第０３４１２０４号、第３４７，２３５号、第３６５，２５２号、第０４２２５９５号、第０４２８８９９号、第０４２８９０２号、第０４５９３３１号、第０４６７３２７号、第０４７６９４９号、第０４８７０８１号、第０４８９３３３号、第０５１２３０４号、第０５１５１２８号、第０５３４７０３号、第０５５４７７８号、第０５５８１４５号、第０５７１９５９号、第０５８３８３２号、第０５８３８３４号、第０５８４７９３号、第０６０２７４８号、第０６０２７４９号、第０６０５９１８号、第０６２２６７２号、第０６２２６７３号、第０６２９９１２号、第０６４６８４１，第０６５６５６１号、第０６６０１７７号及び第０６８６８７２号、ＷＯ９０／  １０２５３号、ＷＯ９２／  ０９０１０号、ＷＯ９２／  １０７８８号、ＷＯ９２／  １２４６４号、ＷＯ９３／  ０１５２３号、ＷＯ９３／  ０２３９２号、ＷＯ９３／  ０２３９３号及びＷＯ９３／  ０７５３４号、英国特許出願第２���２４４，０５３号、特開平０３−１９２３５０号、独国特許公開第３，６２４，１０３号、第３，９１２，２６５号及び第４００８０６７号明細書等の代表的な特許明細書及び刊行物に記載されている。典型的には、このようなカプラーは、発色現像主薬酸化体との反応によってマゼンタ色素を生成するピラゾロン類、ピラゾロアゾール類又はピラゾロベンズイミダゾール類である。
【００５２】
発色現像主薬酸化体との反応によってイエロー色素を形成するカプラーは、「Ｆａｒｂｋｕｐｐｌｅｒ−ｅｉｎｅ  Ｌｉｔｅｒａｔｕｒｅ  Ｕｂｅｒｓｉｃｈｔ」、Ａｇｆａ  Ｍｉｔｔｅｉｌｕｎｇｅｎ発行、第ＩＩＩ  巻、１１２−１２６  頁（１９６１）、並びに米国特許第２，２９８，４４３号、第２，４０７，２１０号、第２，８７５，０５７号、第３，０４８，１９４号、第３，２６５，５０６号、第３，４４７，９２８号、第４，０２２，６２０号、第４，４４３，５３６号、第４，７５８，５０１号、第４，７９１，０５０号、第４，８２４，７７１号、第４，８２４，７７３号、第４，８５５，２２２号、第４，９７８，６０５号、第４，９９２，３６０号、第４，９９４，３６１号、第５，０２１，３３３号、第５，０５３，３２５号、第５，０６６，５７４号、第５，０６６，５７６号、第５，１００，７７３号、第５，１１８，５９９号、第５，１４３，８２３号、第５，１８７，０５５号、第５，１９０，８４８号、第５，２１３，９５８号、第５，２１５，８７７号、第５，２１５，８７８号、第５，２１７，８５７号、第５，２１９，７１６号、第５，２３８，８０３号、第５，２８３，１６６号、第５，２９４，５３１号、第５，３０６，６０９号、第５，３２８，８１８号、第５，３３６，５９１号、第５，３３８，６５４号、第５，３５８，８３５号、第５，３５８，８３８号、第５，３６０，７１３号、第５，３６２，６１７号、第５，３８２，５０６号、第５，３８９，５０４号、第５，３９９，４７４号、第５，４０５，７３７号、第５，４１１，８４８号及び第５，４２７，８９８号、欧州特許第０３２７９７６号、第０２９６７９３号、第０３６５２８２号、第０３７９３０９号、第０４１５３７５号、第０４３７８１８号、第０４４７９６９号、第０５４２４６３号、第０５６８０３７号、第０５６８１９６号、第０５６８７７７号、第０５７０００６号、第０５７３７６１号、第０６０８９５６号、第０６０８９５７号及び第０６２８８６５等の代表的な特許明細書及び刊行物に記載されている。このようなカプラーは、典型例には、開鎖ケトメチレン化合物である。
【００５３】
発色現像主薬酸化体との反応によって無色生成物を形成するカプラーは、英国特許第８６１，１３８号；米国特許第３，６３２，３４５号、第３，９２８，０４１号、第３，９５８，９９３号及び第３，９６１，９５９号明細書等の代表的な特許明細書に記載されている。典型的には、このようなカプラーは、発色現像主薬酸化体との反応によって無色生成物を形成する環状カルボニル含有化合物である。
【００５４】
発色現像主薬酸化体との反応によって黒色色素を形成するカプラーは、米国特許第１，９３９，２３１号、第２，１８１，９４４号、第２，３３３，１０６号及び４，１２６，４６１号明細書、独国特許公開第２，６４４，１９４号及び第２，６５０，７６４号等の代表的な特許明細書に記載されている。典型的には、このようなカプラーは、発色現像主薬酸化体との反応によって黒色若しくは中間色の生成物を形成するレゾルシノール類若しくはｍ−アミノフェノール類である。
【００５５】
前記の他に、いわゆる「ユニバーサル」若しくは「ウオッシュアウト」カプラーを用いることができる。これらのカプラーは画像色素形成に寄与しない。従って、例えば、未置換カルバモイルを有するナフトール又は２位若しくは３位で低分子量置換基により置換されたナフトールを用いることができる。この種のカプラーは、例えば、米国特許第５，０２６，６２８号、第５，１５１，３４３号及び第５，２３４，８００号明細書に記載されている。
【００５６】
カプラーの組み合わせであって、いずれかのカプラーに米国特許第４，３０１，２３５号、第４，８５３，３１９号及び第４，３５１，８９７号明細書に記載されているもののような公知のバラスト又はカップリング離脱基を含むことができるカプラーの組み合わせを用いることが有用な場合がある。カプラーは米国特許第４，４８２，６２９号明細書に記載されているような可溶化基を有することができる。また、カプラーは、欧州特許第２１３，４９０号、特開昭５８−１７２６４７号、米国特許第２，９８３，６０８号、第４，０７０，１９１号及び第４，２７３，８６１号、独国特許第２，７０６，１１７号及び第２，６４３，９６５号、英国特許第１，５３０，２７２号、並びに特開昭５８−１１３９３５号各明細書に説明されているように、「不正（ｗｒｏｎｇ  ）」に着色されたカプラーと一緒に（例えば、中間層補正のレベルを調節するため）使用することができ、そしてカラーネガ用途では、マスキングカプラーと共に使用することができる。必要ならば、マスキングカプラーをシフト若しくはブロックすることができる。
【００５７】
ハロゲン化銀乳剤層中に組み込まれるカプラーの量は、銀に対するモル比で典型的には０．０５〜１．０の範囲内にあり、一般的には０．１〜０．５の範囲内にある。通常、カプラーは高沸点有機溶剤中に、カプラーに対する溶剤の質量比で０．１〜１０．０、典型的には０．１〜２．０で分散させるが、永久カプラー溶剤をまったく使用しない分散体を使用することもある。
【００５８】
本発明は、画像の品質を改良するために、処理工程、例えば漂白又は定着の工程を促進するかさもなければ変更する写真有用基（ＰＵＧ）を放出する材料と組み合わせて使用してもよい。漂白促進剤放出カプラー、例えば欧州特許第０１９３３８９号、欧州特許第０３０１４７７号；米国特許第４，１６３，６６９号、第４，８６５，９５６号及び第４，９２３，７８４号明細書に記載されているものは有用である。造核剤、現像促進剤又はそれらの前駆体（英国特許第２，０９７，１４０号、英国特許第２，１３１，１８８号）；電子移動剤（米国特許第４，８５９，５７８号、米国特許第４，９１２，０２５号）；カブリ防止剤及び混色防止剤、例えばヒドロキノン類、アミノフェノール類、アミン類、没食子酸の誘導体；カテコール；アスコルビン酸；ヒドラジド類；スルホンアミドフェノール類；並びに非色形成カプラーと組み合わせて本発明の組成物を使用することも考えられる。
【００５９】
また、本発明は、コロイド銀ゾル、又はイエロー、シアン、及び／若しくはマゼンタフィルター色素を水中油型分散体、ラテックス分散体又は固体粒子分散体として含んでなるフィルター色素層と組み合わせて使用してもよい。さらに、それらを「スミアリング（ｓｍｅａｒｉｎｇ）」カプラー（例えば米国特許第４，３６６，２３７号；欧州特許第９６，５７０号；米国特許第４，４２０，５５６号及び第４，５４３，３２３号明細書に記載されているようなもの）と共に使用してもよい。また、本発明において有用な材料は、例えば特開昭６１−２５８２４９号公報又は米国特許第５，０１９，４９２号明細書に記載されているようにブロックされたものであっても、保護された形態でコートされてもよい。
【００６０】
本発明は、さらに、例えば「現像抑制剤放出」化合物（ＤＩＲ）のようなＰＵＧＳを放出する画像調製作用のある化合物と組み合わせて使用してもよい。本発明との組み合わせで有用なＤＩＲは、当該技術分野において知られており、その例は、米国特許第３，１３７，５７８号；第３，１４８，０２２号；第３，１４８，０６２号；第３，２２７，５５４号；第３，３８４，６５７号；第３，３７９，５２９号；第３，６１５，５０６号；第３，６１７，２９１号；第３，６２０，７４６号；第３，７０１，７８３号；第３，７３３，２０１号；第４，０４９，４５５号；第４，０９５，９８４号；第４，１２６，４５９号；第４，１４９，８８６号；第４，１５０，２２８号；第４，２１１，５６２号；第４，２４８，９６２号；第４，２５９，４３７号；第４，３６２，８７８号；第４，４０９，３２３号；第４，４７７，５６３号；第４，７８２，０１２号；第４，９６２，０１８号；第４，５００，６３４号；第４，５７９，８１６号；第４，６０７，００４号；第４，６１８，５７１号；第４，６７８，７３９号；第４，７４６，６００号；第４，７４６，６０１号；第４，７９１，０４９号；第４，８５７，４４７号；第４，８６５，９５９号；第４，８８０，３４２号；第４，８８６，７３６号；第４，９３７，１７９号；第４，９４６，７６７号；第４，９４８，７１６号；第４，９５２，４８５号；第４，９５６，２６９号；第４，９５９，２９９号；第４，９６６，８３５号及び第４，９８５，３３６号明細書、英国特許公報第１，５６０，２４０号；第２，００７，６６２号；第２，０３２，９１４号及び第２，０９９，１６７号、独国特許第２，８４２，０６３号；第２，９３７，１２７号；第３，６３６，８２４号及び第３，６４４，４１６号、並びに欧州特許公開第２７２５７３号；第３３５３１９号；第３３６４１１号；第３４６８９９号；第３６２８７０号；第３６５２５２号；第３６５３４６号；第３７３３８２号；第３７６２１２号；第３７７４６３号；第３７８２３６号；第３８４６７０号；第３９６４８６号；第４０１６１２号及び第４０１６１３号に記載されている。
【００６１】
そのような化合物は、Ｐｈｏｔｏｇｒａｐｈｉｃ  Ｓｃｉｅｎｃｅ  ａｎｄ  Ｅｎｇｉｎｅｅｒｉｎｇ，  第１３巻、１７４頁（１９６９年）のＣ．  Ｒ．  Ｂａｒｒ，  Ｊ．  Ｒ．  Ｔｈｉｒｔｌｅ及びＰ．  Ｗ．  Ｖｉｔｔｕｍ  による“Ｄｅｖｅｌｏｐｅｒ−Ｉｎｈｉｂｉｔｏｒ−Ｒｅｌｅａｓｉｎｇ（ＤＩＲ）  Ｃｏｕｐｌｅｒｓ  ｆｏｒ  Ｃｏｌｏｒ  Ｐｈｏｔｏｇｒａｐｈｙ”にも開示されている。一般的に、現像抑制剤放出（ＤＩＲ）カプラーは、カプラー部分及び抑制剤カプリング離脱部分（ＩＮ）を含む。抑制剤放出カプラーは、抑制剤の遅延放出をもたらすタイミング部分又は化学的スイッチも含む時間遅延型（ＤＩＡＲカプラー）のものであってよい。典型的な抑制剤部分の例は、オキサゾール類、チアゾール類、ジアゾール類、トリアゾール類、オキサジアゾール類、チアジアゾール類、オキサチアゾール類、チアトリアゾール類、ベンゾトリアゾール類、テトラゾール類、ベンゾイミダゾール類、インダゾール類、イソインダゾール類、メルカプトテトラゾール類、セレノテトラゾール類、メルカプトベンゾチアゾール類、セレノベンゾチアゾール類、メルカプトベンゾオキサゾール類、セレノベンゾオキサゾール類、メルカプトベンゾイミダゾール類、セレノベンゾイミダゾール類、ベンゾジアゾール類、メルカプトオキサゾール類、メルカプトチアジアゾール類、メルカプトチアゾール類、メルカプトトリアゾール類、メルカプトオキサジアゾール類、メルカプトジアゾール類、メルカプトオキサチアゾール類、テレウロテトラゾール類又はベンゾイソジアゾール類である。好ましい態様において、抑制剤部分又は基は、以下の式のものから選ばれる：
【００６２】
【化１】
2004163883.tif 000003
【００６３】
［式中、ＲＩは、１〜８個の炭素原子を有する直鎖及び分枝アルキル、ベンジル、フェニル及びアルコキシ基、並びにこれらの置換基を全く含まないか１個以上含有する基からなる群より選ばれ；ＲＩＩは、ＲＩ及びＳＲＩから選ばれ；ＲＩＩＩは、１〜５個の炭素原子を有する直鎖若しくは分枝アルキル基であり、ｍは１〜３であり；そして、ＲＩＶは、水素、ハロゲン、アルコキシ、フェニル、カルボンアミド基、−ＣＯＯＲＶ及びＮＨＣＯＯＲＶ（式中、ＲＶは置換された及び未置換のアルキル基及びアリール基から選ばれる）からなる群より選ばれる］。
【００６４】
現像抑制剤放出カプラー中に含まれるカプラー部分は、そのカプラーが配置されている層に対応する画像色素を形成するのが典型的であるが、異なるフィルム層と組合わさった場合は異なる色を形成してもよい。現像抑制剤放出カプラー中に含まれるカプラー部分が無色生成物及び／又は処理中に写真材料から洗い出される生成物（いわゆる「ユニバーサル」カプラー）を形成することも有用であろう。
【００６５】
カプラーのような化合物は、処理中にその化合物の反応の際に直接的にＰＵＧを放出するか、又はタイミング基若しくは連結基を介して間接的にＰＵＧを放出することができる。タイミング基は、分子内求核置換反応を用いる基（米国特許第４，２４８，９６２号明細書）；共役系に沿った電子移動反応を用いる基（米国特許第４，４０９，３２３号、第４，４２１，８４５号及び第４，８６１，７０１号明細書；特開昭５７−１８８０３５号、特開昭５８−９８７２８号、特開昭５８−２０９７３６号及び特開昭５８−２０９７３８号公報）；カプラー反応後にカプラー又は還元剤として機能する基（米国特許第４，４３８，１９３号及び第４，６１８，５７１号明細書）；及び前記特徴を併せ持つ基のようにＰＵＧの時間的遅延放出をもたらす。典型的には、タイミング基は下記式のうちの１つにより表される：
【００６６】
【化２】
2004163883.tif 000004
【００６７】
前記式中、ＩＮは抑制剤部分であり、ＲＶＩＩはニトロ基、シアノ基、アルキルスルホニル基、スルファモイル基及びスルホンアミド基からなる群から選ばれ、ａは０又は１であり、そしてＲＶＩは置換及び未置換アルキル基並びに置換及び未置換フェニル基からなる群から選ばれる。各タイミング基の酸素原子は、ＤＩＡＲの各カプラー部分のカプリング離脱位置に結合される。
【００６８】
タイミング基又は連結基は非共役鎖に沿う電子移動によっても機能を発揮することもある。連結基は当該技術分野で様々な名称で知られている。ヘミアセタール若しくはイミノケタールの開裂反応を利用できる基又はエステル加水分解による開裂反応を利用できる基（例えば米国特許第４，５４６，０７３号明細書）としばしば呼ばれる。非共役鎖に沿うこの電子移動は、典型的には、比較的速い分解をもたらして二酸化炭素、ホルムアルデヒド又は他の低分子量副生成物が生成する。これらの基は欧州特許第４６４，６１２号、第５２３，４５１号、米国特許第４，１４６，３９６号明細書、並びに特開昭６０−２４９１４８号及び第６０−２４９１４９号公報に例示されている。
【００６９】
本発明に用いるのに好適な現像抑制剤放出カプラーとしては以下のものが挙げられるが、これらに限定されない：
【００７０】
【化３】
2004163883.tif 000005
【００７１】
【化４】
2004163883.tif 000006
【００７２】
【化５】
2004163883.tif 000007
【００７３】
本発明の思想が、Ｋｅｎｎｅｔｈ  Ｍａｓｏｎ  Ｐｕｂｌｉｃａｔｉｏｎ，  Ｌｔｄ．，  Ｄｕｄｌｅｙ  Ａｎｎｅｘ，  １２ａ  Ｎｏｒｔｈ  Ｓｔｒｅｅｔ，  Ｅｍｓｗｏｒｔｈ，  Ｈａｍｐｓｈｉｒｅ  ＰＯ１０１  ７ＤＱ，  Ｅｎｇｌａｎｄから入手可能なリサーチ・ディスクロージャー，  アイテム１８７１６（１９７９年１１月）に記載されているような反射材料を得ることに使用できることも考えられる。本発明において有用な材料は、米国特許第４，９１７，９９４号明細書に記載されているようなｐＨ調整された支持体上に；酸素透過性が低い支持体上に（欧州特許第０５５３３３９号）；  エポキシ溶剤を使用して（欧州特許第１６４９６１号）；ニッケル錯体安定化剤とともに（例えば米国特許第４，３４６，１６５号、第４，５４０，６５３号及び第４，９０６，５５９号明細書に記載）；多価カチオン、例えばカルシウムに対する感受性を低減するためのバラスト化されたキレート化剤、例えば米国特許第４，９９４，３５９号明細書に記載されているようなものとともに；及び、例えば米国特許第５，０６８，１７１号明細書に記載されているようなステイン低減作用のある化合物とともにコートされてもよい。本発明と組み合わせて使用するのに有用な他の化合物は、９０−０７２，６２９号；９０−０７２，６３０号；９０−０７２，６３１号；９０−０７２，６３２号；９０−０７２，６３３号；９０−０７２，６３４号；９０−０７７，８２２号；９０−０７８，２２９号；９０−０７８，２３０号；９０−０７９，３３６号；９０−０７２，３３７号；９０−０７９，３３８号；９０−０７９，６９０号；９０−０７９，６９１号；９０−０８０，４８７号；９０−０８０，４８９号；９０−０８０，４９０号；９０−０８０，４９１号；９０−０８０，４９２号；９０−０８０，４９４号；９０−０８５，９２８号；９０−０８６，６６９号；９０−０８６，６７０号；９０−０８７，３６０号；９０−０６７，３６１号；９０−０８７，３６２号；９０−０８７，３６３号；９０−０８７，３６４号；９０−０８８，０９７号；９０−０９３，６６２号；９０−０９３，６６３号；９０−０９３，６６４号；９０−０９３，６６５号；９０−０９３，６６６号；９０−０９３，６６８号；９０−０９４，０５５号；９０−０９４，０５６号；９０−１０３，４０９号、８３−６２，５８６号及び８３−０９，９５９号のようなアクセス番号を有するＤｅｒｗｅｎｔ  Ａｂｓｔｒａｃｔｓに記載されている日本国公開公報に開示されている。
【００７４】
本発明を実施する際には常用の輻射線感受性ハロゲン化銀乳剤を使用することができる。そのような乳剤は、リサーチ・ディスクロージャー，  アイテム３８７５５，１９９６年９月，  Ｉ．  Ｅｍｕｌｓｉｏｎ  ｇｒａｉｎｓ  ａｎｄ  ｔｈｅｉｒ  ｐｒｅｐａｒａｔｉｏｎに記載されている。
【００７５】
本発明でとりわけ有用なものは平板状粒子ハロゲン化銀乳剤である。平板状粒子は二つの平行な主結晶面を有し、少なくとも２のアスペクト比を有するものである。用語「アスペクト比」は、粒子の主面の等価円直径（ＥＣＤ）をその厚み（ｔ）で割った比である。平板状粒子乳剤は、平板状粒子が全粒子投影面積の少なくとも５０％（好ましくは少なくとも７０％、最適には少なくとも９０％）を占めている乳剤である。好ましい平板状粒子乳剤は、平板状粒子の平均厚が０．３μｍ未満（好ましくは薄い、すなわち０．２μｍ未満、非常に好ましくは超薄い、すなわち０．０７μｍ未満）である乳剤である。平板状粒子の主面は、｛１１１｝若しくは｛１００｝結晶面に存在することができる。平板状粒子乳剤の平均ＥＣＤは、１０μｍを超えることは稀で、典型的には５μｍ未満である。
【００７６】
最も広範に用いられる形態では、平板状粒子乳剤は高臭化物｛１１１｝平板状粒子乳剤である。そのような乳剤は、Ｋｏｆｒｏｎ等の米国特許第４，４３９，５２０号、Ｗｉｌｇｕｓ等の米国特許第４，４３４，２２６号、Ｓｏｌｂｅｒｇ  等の米国特許第４，４３３，０４８号、Ｍａｓｋａｓｋｙの米国特許第４，４３５，５０１号、第４，４６３，０８７号及び第４，１７３，３２０号、Ｄａｕｂｅｎｄｉｅｋ等の米国特許第４，４１４，３１０号及び第４，９１４，０１４号、Ｓｏｗｉｎｓｋｉ等の米国特許第４，６５６，１２２号、Ｐｉｇｇｉｎ等の米国特許第５，０６１，６０９号及び第５，０６１，６１６号、Ｔｓａｕｒ  等の米国特許第５，１４７，７７１号、第５，１４７，７７２号、第５，１４７，７７３号、第５，１７１，６５９号及び第５，２５２，４５３号、Ｂｌａｃｋ  等の米国特許第５，２１９，７２０号及び第５，３３４，４９５号、Ｄｅｌｔｏｎの米国特許第５，３１０，６４４号、第５，３７２，９２７号及び第５，４６０，９３４号、Ｗｅｎ  の米国特許第５，４７０，６９８号、Ｆｅｎｔｏｎ等の米国特許第５，４７６，７６０号、Ｅｓｈｅｌｍａｎ等の米国特許第５，６１２，１７５号及び第５，６１４，３５９号、並びにＩｒｖｉｎｇ等の米国特許第５，６６７，９５４号に示されている。
【００７７】
超薄高臭化物｛１１１｝平板状粒子乳剤は、Ｄａｕｂｅｎｄｉｅｋ等の米国特許第４，６７２，０２７号、第４，６９３，９６４号、第５，４９４，７８９号、第５，５０３，９７１号及び第５，５７６，１６８号、Ａｎｔｏｎｉａｄｅｓ等の米国特許第５，２５０，４０３号、Ｏｌｍ  等の米国特許第５，５０３，９７０号、Ｄｅａｔｏｎ等の米国特許第５，５８２，９６５号、並びにＭａｓｋａｓｋｙの米国特許第５，６６７，９５５号明細書に具体的に示されている。
【００７８】
高臭化物｛１００｝平板状粒子乳剤は、Ｍｉｇｎｏｔの米国特許第４，３８６，１５６号及び第５，３８６，１５６号明細書に具体的に記載されている。
【００７９】
高塩化物｛１１１｝平板状粒子乳剤は、Ｗｅｙ  の米国特許第４，３９９，２１５号明細書、Ｗｅｙ  等の米国特許第４，４１４，３０６号明細書、Ｍａｓｋａｓｋｙの米国特許第４，４００，４６３号、第４，７１３，３２３号、第５，０６１，６１７号、第５，１７８，９９７号、第５，１８３，７３２号、第５，１８５，２３９号、第５，３９９，４７８号及び第５，４１１，８５２号明細書、並びにＭａｓｋａｓｋｙ等の米国特許第５，１７６，９９２号及び第５，１７８，９９８号明細書に具体的に記載されている。超薄高塩化物｛１１１｝平板状粒子乳剤は、Ｍａｓｋａｓｋｙの米国特許第５，２７１，８５８号及び第５，３８９，５０９号明細書に具体的に記載されている。
【００８０】
高塩化物｛１００｝平板状粒子乳剤は、Ｍａｓｋａｓｋｙの米国特許第５，２６４，３３７号、第５，２９２，６３２号、第５，２７５，９３０号及び第５，３９９，４７７号明細書、Ｈｏｕｓｅ  等の米国特許第５，３２０，９３８号明細書、Ｂｒｕｓｔ  等の米国特許第５，３１４，７９８号明細書、Ｓｚａｊｅｗｓｋｉ  等の米国特許第５，３５６，７６４号明細書、Ｃｈａｎｇ  等の米国特許第５，４１３，９０４号及び第５，６６３，０４１号明細書、Ｏｙａｍａｄａ  の米国特許第５，５９３，８２１号明細書、Ｙａｍａｓｈｉｔａ  等の米国特許第５，６４１，６２０及び第５，６５２，０８８号明細書、Ｓａｉｔｏｕ  等の米国特許第５，６５２，０８９号明細書並びにＯｙａｍａｄａ  等の米国特許第５，６６５，５３０号明細書に具体的に記載されている。超薄高塩化物｛１００｝平板状粒子乳剤を、Ｈｏｕｓｅ  等及びＣｈａｎｇ  等の上記引用の明細書の教示に従って、ヨウ化物の存在下での核生成によって調製することができる。
【００８１】
乳剤は、表面感光性乳剤、即ち、ハロゲン化銀粒子の主に表面上に潜像を形成する乳剤であっても、あるいは乳剤は、ハロゲン化銀粒子の主に内部に内部潜像を形成できるものであってもよい。乳剤は、ネガ型乳剤、例えば、表面感光性乳剤若しくはカブっていない内部潜像形成乳剤であっても、又は現像を均一露光を用いて行うか核生成剤の存在下で行う場合にポジ型であるカブっていない内部潜像形成型の直接ポジ型乳剤であってもよい。後者のタイプの平板状粒子乳剤は、Ｅｖａｎｓ  等の米国特許第４，５０４，５７０号明細書に示されている。
【００８２】
写真要素を化学線（典型的にはスペクトルの可視領域内にある）に露光して潜像を形成でき、その後、処理して可視色素像を形成できる。可視色素像を形成する処理は、要素を発色現像主薬と接触させて現像可能なハロゲン化銀を還元し、発色現像主薬を酸化する工程を含む。酸化された発色現像主薬は、次にカプラーと反応して色素を生じる。必要に応じて、リサーチ・ディスクロージャー，  ＸＶＩＩＩＢ（５）に記載されているような「レドックス増幅法」を使用することもできる。
【００８３】
「カラーネガ要素」は、ネガ型ハロゲン化銀を利用し、処理によってネガ像を提供する。そのような要素の第１の種類は、画像を観察するようにというよりもむしろネガ型で画像を捕獲するように設計されたカラーネガフィルムである捕獲要素である。そのような要素の第２の種類は、少なくともある意味では、人間が観察可能なポジ画像を提供するように設計された直接観察型要素である。
【００８４】
そのような捕獲要素において充分な像を得るには感度（低光条件に対する要素の感度）が通常重要である。そのような要素は一般的に透明支持体上にコートされた臭ヨウ化銀乳剤であり、例えば、Ｂｒｉｔｉｓｈ  Ｊｏｕｒｎａｌ  ｏｆ  Ｐｈｏｔｏｇｒａｐｈｙ  Ａｎｎｕａｌ  ｏｆ  １９８８，  １９１−１９８頁に記載されているようなＫｏｄａｋ  Ｃ−４１処理等の公知のカラーネガ処理で処理するように指示した使用説明書を添えて包装された状態で販売されている。カラーネガフィルム要素が、映画用の観察可能な映写プリントを作成するのに引き続いて用いられるものである場合、Ｅａｓｔｍａｎ  Ｋｏｄａｋ  Ｃｏ．  から入手できるＨ−２４マニュアルに記載されているＫｏｄａｋ  ＥＣＮ−２  処理等の処理を用いて、透明支持体上にカラーネガ像を提供することができる。カラーネガ現像時間は、一般的に３分１５秒以下であり、好ましくは９０秒以下、又は６０秒以下の場合もある。
【００８５】
本発明を実施するのに優れた感光性を有する要素を使用するのが最良である。要素は、少なくとも約ＩＳＯ  ２５の感度を有するのが良く、少なくとも約ＩＳＯ  １００の感度を有するのが好ましく、少なくとも約ＩＳＯ  ４００の感度を有するのがより好ましい。カラーネガ写真要素のスピード又は感度は、処理後、カブリを超える特定の濃度を得ることを可能にするのに必要な露光量に逆比例する。各色記録におけるガンマが０．６５であるカラーネガ要素の写真感度は、ｔｈｅ  Ａｍｅｒｉｃａｎ  Ｎａｔｉｏｎａｌ  Ｓｔａｎｄａｒｄｓ  Ｉｎｓｔｉｔｕｔｅ  （ＡＮＳＩ）によって、ＡＮＳＩ  Ｓｔａｎｄａｒｄ  Ｎｕｍｂｅｒ  ｐＨ  ２．２７−１９８１（ＩＳＯ（ＡＳＡ感度））として具体的に定義されており、カラーフィルムの緑感光性でかつ感度が最低の色記録ユニットの各々において最低濃度を０．１５上回る濃度を生成するのに必要な露光量レベルの平均値に特に関連する。この定義は、Ｉｎｔｅｒｎａｔｉｏｎａｌ  Ｓｔａｎｄａｒｄ  Ｏｒｇａｎｉｚａｔｉｏｎ（ＩＳＯ）のフィルム感度の等級に従っている。本発明において、カラーユニットのガンマが０．６５異なる場合、ＡＳＡ又はＩＳＯ感度は、他の決まった方式で感度を決定する前に、ガンマ対ｌｏｇＥ（露光量）曲線を０．６５の値に、線形的に増加又は減少させることによって計算すべきである。
【００８６】
本発明において標準的な写真要素を使用できるが、本発明において最も有用な要素は、直接観察に適する形態というよりもむしろ機械読取可能な形態で画像を捕獲するように設計されたものである。捕獲要素において、感度（低光条件に対する要素の感度）は、通常、そのような要素において十分な画像を得るのに重要である。従って、要素は、ミクロレンズの感度向上後、典型的には、８００以上の等価ＩＳＯ感度、好ましくは１６００以上の等価ＩＳＯ感度、非常に好ましくは３２００以上の等価ＩＳＯ感度を示す。
【００８７】
要素は、各色記録で少なくとも３．０ｌｏｇＥ、好ましくは４．０ｌｏｇＥ以上、より好ましくは５．０ｌｏｇＥ以上の寛容度を有する。そのような高い有用な寛容度は、各色記録のガンマが０．７０未満、好ましくは０．６０未満、より好ましくは０．５０未満、非常に好ましくは０．４５未満であることを決定づける。さらに、色の相互作用又はインターイメージ効果が好ましいことに最低限に抑えられる。インターイメージ効果の最小化は、マスキングカプラー及びＤＩＲ化合物の量を最低限に抑えることにより達成できる。インターイメージ効果は、色分割露光及び写真処理後の特定の色記録のガンマを白色光露光後の同じ色記録のガンマで割った比として定量化できる。各色記録のガンマ比は好ましくは０．８〜１．２、より好ましくは０．９〜１．１、非常に好ましくは０．９５〜１．０５である。そのような走査を可能にする感光性要素の性能の構造的特徴的定量化についてのさらなる詳細は、Ｓｏｗｉｎｓｋｉらの米国特許第６，０２１，２７７号明細書及び第６，１９０，８４７号に開示されており、これらの開示は引用により本明細書に含まれてることにする。
【００８８】
直接観察型写真要素は、（１）写真印画紙プリントのように反射光により、（２）表示用トランスパレンシーのように透過光により、又は（３）カラースライドや映画プリントのように投影により人間が観察するように設計された色像を生じるものと定義される。これらの直接観察型要素は様々な方法で露光し処理することができる。例えば、印画紙プリント、ディスプレイトランスパレンシー及び映画プリントは、画像をカラーネガから直接観察型要素上にデジタルプリント又は光学プリントし、適当なネガ型写真処理により処理してポジのカラー画像を得ることによって通常形成される。要素は、デジタルプリントに関する又はカラーネガ光学プリント法、例えばポジ画像を形成するためのＰＣＴ  ＷＯ８７／０４５３４又は米国特許第４，９７５，３５７号明細書に概説されているようなＫｏｄａｋ  ＲＡ−４プロセスを使用して処理するよう指示した使用説明書とともに包装された状態で販売される。カラー投影プリントは、例えばＨ−２４マニュアルに記載されているようにＫｏｄａｋ  ＥＣＰ−２プロセスに従って処理できる。カラープリントの現像時間は典型的には９０秒間以内、望ましくは４５秒間以内、より望ましくは３０秒以内である。カラースライドも同様に形成されるが、より典型的には、フィルムを直接露光し、反転カラー処理又は直接ポジ処理によりポジカラー画像を得る。画像を、デジタル印刷のような別の方法で得ることもできる。
【００８９】
これらのタイプの写真要素の各々は、色素色相について独自の要件を有しているが、一般的には、どれもその吸収帯域の吸収が深色的ではないような（すなわち、スペクトルの赤端部から遠ざかるようにシフトする）シアン色素を必要とする。このため、直接観察型要素における色素は、人が目で見たときに最良の外観を呈するように選ばれ、一方、画像捕獲材料における色素は、プリントプロセスの要件と最良に適合するように設計される。
【００９０】
反転要素は、光学プリントせずポジ像を生成することができる。ポジ（反転）像を得るには、発色現像工程の前に非発色現像主薬を用いる現像を行って露光済みハロゲン化銀を現像し（但し、色素を生成させない）、その後、その要素を均一にカブらせて未露光ハロゲン化銀を現像可能にする。そのような反転乳剤は、一般的に、Ｂｒｉｔｉｓｈ  Ｊｏｕｒｎａｌ  ｏｆ  Ｐｈｏｔｏｇｒａｐｈｙ  Ａｎｎｕａｌ（１９８８，  ｐ．  １９４）  に記載されているＫｏｄａｋ  Ｅ−６  処理のようなカラーリバーサル処理を用いて処理するように指示した使用説明書を添えて包装された状態で販売されている。代わりに、直接ポジ乳剤を用いてポジ画像を得ることもできる。
【００９１】
上記乳剤は、一般的に、適当な方法、例えば、上述のカラーネガ（Ｋｏｄａｋ  Ｃ−４１）、カラープリント（Ｋｏｄａｋ  ＲＡ−４）若しくは反転（Ｋｏｄａｋ  Ｅ−６  ）処理を用いて処理するように指示した使用説明書を添えて販売されている。
【００９２】
好ましい発色現像主薬は、ｐ−フェニレンジアミン類、例えば：４−アミノ−Ｎ，Ｎ−ジエチルアニリン塩酸塩、４−アミノ−３−メチル−Ｎ，Ｎ−ジエチルアニリン塩酸塩、４−アミノ−３−メチル−Ｎ−エチル−Ｎ−（２−メタンスルホンアミドエチル）アニリンセスキ硫酸塩水和物、４−アミノ−３−メチル−Ｎ−エチル−Ｎ−（２−ヒドロキシエチル）アニリン硫酸塩、４−アミノ−３−（２−メタンスルホンアミドエチル）−Ｎ，Ｎ−ジエチルアニリン塩酸塩、及び４−アミノ−Ｎ−エチル−Ｎ−（２−メトキシエチル）−ｍ−トルイジン  ジ−ｐ−トルエンスルホン酸である。
【００９３】
現像後、漂白、定着、若しくは漂白−定着（銀若しくはハロゲン化銀を除去する）、洗浄、及び乾燥の通常の工程が続く。
【００９４】
さらに、容易な写真仕上げのために設計されたフィルムを使用することによって、迅速かつ便利な写真仕上げを提供する能力が大幅に増進される。ドライプロセスフィルムがそのようなフィルムである。一態様において、ドライプロセスフィルムは、支持体上にバインダー中に組み込まれた現像主薬を有し、非拡散性色素からなる識別可能な機械読取可能な画像を加熱によって形成することのできる感光性ハロゲン化銀フィルムとして特徴づけることができる。別の態様において、ドライプロセスフィルムは、非拡散性色素からなる識別可能な機械読取可能な画像を、処理用溶剤をほとんど又は全く適用せずラミネート層を適用して形成することのできる感光性ハロゲン化銀フィルムとして特徴づけることができる。この場合に、ドライプロセスフィルム又はラミネート層には、現像主薬が組み込まれている。さらに別の態様において、ドライプロセスフィルムは、非拡散性色素からなる識別可能な機械読取可能な画像を一定量の処理用溶剤中の現像主薬の適用によって形成することができる感光性ハロゲン化銀フィルムとして特徴づけられるものであることができる。ドライプロセスフィルム、写真処理及び写真プロセッサーは、当該技術分野で知られている。これらのいずれも有用に使用できる。特に好適なドライプロセスフィルム及び好適な構成要素は、Ｉｒｖｉｎｇらの米国特許第６，２４２，１６６号明細書、Ｓｚａｊｅｗｓｋｉらの米国特許第６，０４８，１１０号明細書、Ｉｓｈｉｋａｗａらの米国特許第５，７５６，２６９号及び第５，８５８，６２９号明細書、Ｉｓｈｉｋａｗａによる米国特許第６，０２２，６７３号明細書、Ｋｉｋｕｃｈｉによる米国特許第５，８８８，７０４号及び第５，９６５，３３２号明細書、Ｏｋａｗａらによる米国特許第５，８５１，７４９号明細書、Ｔａｋｅｕｃｈｉによる米国特許第５，８５１，７４５号明細書、Ｍａｋｕｔａらによる米国特許第５，８７１，８８０号明細書、Ｍｏｒｉｔａらによる米国特許第５，８７４，２０３号明細書、Ａｓａｍｉらによる米国特許第５，９４５，２６４号明細書、Ｋｏｓｕｇｉらによる米国特許第５，９７６，７７１号明細書、並びにＯｈｋａｗａらによる米国特許第６，０５１，３５９号明細書に記載されている。
【００９５】
本発明のフィルムは、シートとして又はカメラ内への装填を容易にするために巻き軸に巻かれたものとして提供することができる。これは、典型的には、キャストフィルムを細長く切断して適切な幅にし、フィルムを適切な長さに切断し、適切な機械輸送が可能となるようにフィルムにエッジ穿孔（ｅｄｇｅ−ｐｅｒｆｏｒａｔｉｎｇ）し、生産過程の一部として機械的、磁気的又は露光の情報マーキングを与え、そしてスプール上にフィルムを巻き取ることによって達成される。スプールは、最低限、フィルムを支持するためのコアを有する。スプールは、他の周知の構造体を有することができる。本発明の写真要素は、「一回使用カメラ」、「レンズ付きフィルム」又は「感光材料パッケージユニット」などの名称で様々に呼ばれている、繰り返して使用することを意図した露光構造体中に又は限定使用を意図した構造体中に組み込むことができる。
【００９６】
カメラレンズ、ミクロレンズ及び感光性層についての特定の空間的配置が本発明で要求されるため、像様露光のためのフィルム要素の巻き取りとカメラに装填する方向並びに像様露光済みフィルムを写真処理する際のフィルム要素の巻き取りと装填する方向に注意を払わなくてはならない。本発明に係る一体的感光性ユニットのミクロレンズ、感光性層及び可撓性支持体といった構成要素が、ミクロレンズと支持体の間に感光性層が存在するように配置されている場合（タイプＡ）に、その一体的な感光性ユニットは、一般的なカメラ、写真処理装置及びスキャナー、光学プリンターなどと十分に適合するようにミクロレンズ側をスプールに対して内側に向けた状態で巻き取り、必要に応じてカートリッジ、カセッテ、あるいは別の手段に組み込むことができる。しかしながら、本発明に係る一体的な感光性ユニットのミクロレンズ、感光性層及び可撓性支持体といった構成要素が、ミクロレンズと感光性層の間に支持体が存在するように配置されている場合（タイプＢ）に、その一体的な感光性ユニットは、カメラ、写真処理装置及びスキャナーの独特な付随的要件に応じてミクロレンズ側をスプールに対して内側に向けた状態で巻き取るか又はミクロレンズ側をスプールに対して外側に向けた状態で巻き取り、必要に応じてカートリッジ、カセッテ、あるいは別の手段に組み込むことができる。一体的ミクロレンズがスプールに対して内側の方に向いた状態でタイプＢの一体的感光性ユニットが巻き取られた場合、巻き取られたユニットを通常の構成のカメラ本体に装填し像様露光することができる。しかしながら、感光性層への写真処理薬剤の容易なアクセスが可能となるとともに、通常の設計の写真処理装置、走査装置又はプリント装置による走査又はプリント時の光学素子及びシーンの方向が適切であるように、一体的フィルムの対面反転（ｆａｃｅ  ｔｏ  ｆａｃｅ  ｒｅｖｅｒｓａｌ）、すなわち１８０度ねじれによって、写真処理、走査又は光学プリントが容易になる。代わりに、写真処理、走査又はプリント装置を、これらの反転巻き取りスプールに対応するように設計し直すことができる。一体的ミクロレンズを外側に向けた状態でタイプＢの一体的感光性ユニットが巻き取られた場合、巻き取られたユニットを、再構成したカメラ本体に装填し像様露光することができる。カメラ本体は、カメラレンズからの光が感光性層に達する前にミクロレンズに当たるように再構成される。写真処理、走査又は光学プリントは、通常通りに行われる。
【００９７】
走査工程は、フィルムスキャナーを使用する従来の方法のいずれでも行うことができる。好ましい態様において、単一走査ビーム中の青、緑及び赤色光で画像を逐次的に走査する。この単一走査ビームは、分割して青、緑及び赤フィルターに通すと各色記録のための別々の走査ビームを生じる。別の色がフィルムに像様に存在する場合、他の適切に着色された光線を使用してもよい。代わりに、モノクロ色形成材料を使用する場合、その材料は、それなりに走査し処理することができる。便宜上、以後の説明は、発色材料の処理に焦点を当てる。１つの態様において、赤、緑及び青色光を使用して像様記録情報を引き出し、そして画像でない欠陥（ｎｏｎ−ｉｍａｇｅ  ｉｍｐｅｒｆｅｃｔｉｏｎｓ）の位置を記録するために赤外線でフィルムをさらに走査する。そのような欠陥又は「ノイズ」走査を使用する場合、欠陥に対応する信号を用いてソフトウェアによる補正を行ない、ソフトコピー又はハードコピーの形態で欠陥をより目立たなくすること、又はまったくわからなくすることができる。
【００９８】
別の態様において、現像画像を、透過走査と反射走査を組み合わせて複数回走査し、場合によっては赤外線で走査し、得られたファイルが合わさって、当初の画像を表わす１つのファイルを生じる。
【００９９】
未露光写真材料の一部に露光済みの１つ以上のパッチ領域に基づく構成パッチを有する要素を有用に使用できる。
【０１００】
分割された画像の空間的ピッチよりも粗く分割された画像をサンプリングするには十分でない空間的ピッチで走査を行うことができる。別の態様において、分割された画像の空間的ピッチよりも細かくて分割された画像をサンプリングするには大きすぎる空間的ピッチで走査を行うことができる。さらに別の態様において、分割された画像の空間的ピッチに一致し分割された画像を記録する空間的ピッチで走査を行うことができる。
【０１０１】
ドット又はドット間領域（ｉｎｔｅｒ−ｄｏｔ）からの画像情報の再生に先立って、カラーデータの忠実度を確保するために、走査後に画像データを処理することもできる。欧州特許第１１６４７７８号及び欧州特許第１１８２８５８号明細書（これらの開示は引用により本明細書に含まれていることにする）に開示されているように、消費者によって選択される外観を取り入れた画像をもたらすように、開示されている信号変換技術をさらに変更することができる。マトリックスとルックアップテーブル（ＬＵＴ）は有用な画像変換をもたらすことができる。
【０１０２】
ある変形態様において、スキャナーからのＲ、Ｇ及びＢ画像保持信号を、１つの基準画像記録装置又は媒体からの画像メトリック（ｉｍａｇｅ  ｍｅｔｒｉｃ）であって、全ての入力媒体についてのメトリック値が、入力媒体が原シーンを捕獲したのと同じ条件下でその原シーンを捕獲したならば基準装置又は媒体により形成されたであろう三色値に対応する画像メトリックに変換される。別の態様において、基準画像記録媒体を特定のカラーネガフィルムとして選択し、そして中間画像データメトリックとしてその基準フィルムの所定のＲ’、Ｇ’及びＢ濃度を選択した場合、入力カラーネガフィルムに関し、スキャナーからのＲ、Ｇ及びＢの画像保持信号は、カラーネガ記録材料が露光されたのと同じ条件下で露光されたならば基準カラーネガフィルムにより形成されたであろう画像のＲ’、Ｇ’及びＢ’の濃度値に対応するＲ’、Ｇ’及びＢ’の濃度値に変換される。そのような走査の結果は、フィルムに捕獲された画像を表すデジタル画像データである。
【０１０３】
画像が電子形態又はデジタル形態にあっても、画像処理は、上記の特定の操作法に限定されないことは分かるであろう。画像がデジタル形態にある場合、限定するわけではないが、シーンバランスアルゴリズム（処理されたフィルム内の１つ以上の領域の濃度に基づいて濃度とカラーバランスの補正値を決定する）；フィルムの露光不足ガンマ又は露光過度ガンマをコンボリューション又はアンシャープマスキングによる鮮鋭化に適応しない又は適応するように調節すること；赤目の低減；及び非適応又は適応粒子抑制等の別の画像操作法を利用できる。さらに、画像を芸術的に処理したり、ズーミングやクロッピングを行ったり、別の画像と組み合わせるなど当該技術分野で公知の操作を行ってもよい。
【０１０４】
画像を補正し、そして補足的な画像処理及び操作を行ったならば、画像は、遠隔場所に電子的に伝送されるか、又は限定するわけではないが、フィルムレコーダー、プリンター、サーマルプリンター、電子写真プリンター、インクジェットプリンター、ディスプレイ、ＣＤ又はＤＶＤディスク、磁気電子信号記憶ディスク、並びに当該技術分野で公知の他のタイプの記憶装置と表示装置等の各種の出力装置で現場で書きこまれる。デジタル操作に加え、画像の物理的特性、例えば「窓かけ（ｗｉｎｄｏｗｉｎｇ）」及び「レベリング（ｌｅｖｅｌｉｎｇ）」又は当該技術分野で知られている他の操作法を変えるために、デジタル画像を使用できる。さらに、出力画像保持信号を基準出力装置に適合させることも、出力画像保持信号は装置に固有のコード値の形態にあっても、又は出力画像保持信号は装置に固有のコード値となるようにさらなる調節を必要とする場合がある。そのような調節は、特定の装置を使用して出力画像保持信号を伝送、記憶、プリント又は表示する工程のいずれかに適する出力画像保持信号を適切に生成させるために、さらなるマトリックス変換若しくはルックアップテーブル変換又はそのような変換の組み合わせにより達成できる。
本明細書で引用した特許文献及び他の刊行物の全内容は、引用により本明細書に含まれていることにする。
【０１０５】
本発明は、前記支持体の投影面積に対する前記ミクロレンズの投影面積の比が０．７を超えるか、０．８を超えるか、又は０．９未満であり、ミクロレンズのｆ値に対するカメラレンズのｆ値の比が１．４を超える態様を含む。本発明は、画像捕獲後に機械で読み取りを行って、単一視点（ｓｉｎｇｌｅ  ｐｅｒｓｐｅｃｔｉｖｅ）二次元カラー画像を生成するのに好適な感光性写真要素であって、両面支持体（ｔｗｏ−ｓｉｄｅｄ  ｓｕｐｐｏｒｔ）を含んで成り、
（ａ）前記支持体上に赤感光性ハロゲン化銀乳剤層ユニット、緑感光性ハロゲン化銀乳剤層ユニット及び青感光性ハロゲン化銀乳剤層ユニットが配置されており、
（ｂ）ミクロレンズの領域に入射した画像の単一視点の画像光を乳剤層ユニットの小さい領域上に集めるのに十分な大きさに作られたものであるとともに十分な位置にある収束ミクロレンズアレイが前記乳剤層ユニットに対して前記支持体の反対側に配置されているものを含む。
【０１０６】
本発明は、カメラによる画像捕獲後に機械で読み取るのに好適な感光性写真要素であって、両面支持体を含んで成り、
（ａ）前記支持体上に赤感光性ハロゲン化銀乳剤層ユニット、緑感光性ハロゲン化銀乳剤層ユニット及び青感光性ハロゲン化銀乳剤層ユニットが配置されており、
（ｂ）ミクロレンズの領域に入射したカメラ収束画像光を乳剤層ユニットの小さい領域上に集めるのに十分な大きさに作られたものであるとともに十分な位置にある完全又は部分的な球面形状を有するレンズを含むミクロレンズアレイが前記乳剤層ユニットに対して前記支持体の反対側に配置されているもの；及び
少なくともＩＳＯ  ２５の感度を示し、カメラによる画像捕獲後に機械で読み取るのに好適な感光性写真要素であって、両面支持体を含んで成り、
（ａ）前記支持体上に赤感光性ハロゲン化銀乳剤層ユニット、緑感光性ハロゲン化銀乳剤層ユニット及び青感光性ハロゲン化銀乳剤層ユニットが配置されており、
（ｂ）ミクロレンズの領域に入射した画像光を乳剤層ユニットの小さい領域上に集めるのに十分な大きさに作られたものであるとともに十分な位置にある収束ミクロレンズアレイが前記乳剤層ユニットに対して前記支持体の反対側に配置されており、フィルムの感度が前記アレイを含まない同じフィルムと比べて高いもの；並びに
少なくともＩＳＯ  ２５の感度を示し、画像捕獲後に機械で読み取るのに好適な感光性写真要素であって、
（ａ）前記支持体上に赤感光性ハロゲン化銀乳剤層ユニット、緑感光性ハロゲン化銀乳剤層ユニット及び青感光性ハロゲン化銀乳剤層ユニットが配置されており、
（ｂ）ミクロレンズの領域に入射した画像光を乳剤層ユニットの小さい領域上に集めるのに十分な大きさに作られたものであるとともに十分な位置にある収束ミクロレンズアレイが前記乳剤層ユニットに対して前記支持体の反対側に配置されており、フィルムの寛容度が前記アレイを含まない同じフィルムと比べて少なくとも０．３ｌｏｇＥ増加したものを含む。
【０１０７】
本発明のさらなる態様を、特許請求の範囲に記載の態様とともに以下に示す。
［態様１］  支持体と、収束ミクロレンズアレイと、挿入された感光性ハロゲン化銀乳剤層ユニットを含んで成る感光性写真要素。
［態様２］  前記ミクロレンズアレイが完全な又は部分的な球状又は非球状を有する上記態様１記載の要素。
［態様３］  前記ミクロレンズが完全な又は部分的な円柱状又は非円柱状の形状を有する上記態様１記載の要素。
［態様４］  前記ミクロレンズを構成する材料が、前記ミクロレンズの形状が写真処理により変化するように選ばれる上記態様１記載の要素。
［態様５］  前記ミクロレンズを構成する材料が、前記ミクロレンズの形状が写真処理により変化しないように選ばれる上記態様１記載の要素。
［態様６］  前記支持体の投影面積に対する前記ミクロレンズの投影面積の比が０．３よりも大きい上記態様１〜５のいずれか一つに記載の要素。
［態様７］  前記ミクロレンズアレイが幾何学的に無秩序なアレイである上記態様１〜６のいずれか一つに記載の要素。
［態様８］  前記ミクロレンズアレイが、当該アレイを含まない同じ要素と比較して少なくとも０．１５ｌｏｇＥ拡大した露光寛容度を可能にする上記態様１〜７のいずれか一つに記載の要素。
［態様９］  上記態様１に記載の要素を予め装填したカメラ。
［態様１０］  カメラと画像捕獲後に機械で読み取って単一視点二次元カラー画像を生成するのに好適な感光性写真要素の組み合わせであって、前記要素が、
（Ａ）単一画像視点を捕獲するためのレンズシステムを有するカメラと、
（Ｂ）支持体を含んで成り、前記支持体上に、赤感光性ハロゲン化銀乳剤層ユニット、緑感光性ハロゲン化銀乳剤層ユニット及び青感光性ハロゲン化銀乳剤層ユニットが配置されており、ミクロレンズの領域に入射したレンズシステムからの画像光を乳剤層ユニットの小さい領域上に集めるのに十分な大きさに作られたものであるとともに十分な位置にある収束ミクロレンズアレイが前記乳剤層ユニットに対して前記支持体の反対側に配置されたものを含む上記態様１〜９の要素、
を含んで成る組み合わせ。
【図面の簡単な説明】
【図１】図１は、カメラ内でのミクロレンズ写真要素の露光を示す概略的に示す。
【図２】図２は、球面及び非球面ミクロレンズの側面を概略的に示す。
【図３】図３は、対称及び非対称ミクロレンズパターンの正面図である。
【図４】図４は、支持体上にミクロレンズが存在し、ハロゲン化銀感光性層が挿入されていることを示す図である。
【図５】図５は、支持体上にミクロレンズが存在し、ハロゲン化銀感光性層が挿入されている別の態様を示す図である。
【図１】
2004163883.tif 000008
【図２】
2004163883.tif 000009
【図３】
2004163883.tif 000010
【図４】
2004163883.tif 000011
【図５】
2004163883.tif 000012
【外国語明細書】
2004163883.tif 000013
2004163883.tif 000014
2004163883.tif 000015
2004163883.tif 000016
2004163883.tif 000017
2004163883.tif 000018
2004163883.tif 000019
2004163883.tif 000020
2004163883.tif 000021
2004163883.tif 000022
2004163883.tif 000023
2004163883.tif 000024
2004163883.tif 000025
2004163883.tif 000026
2004163883.tif 000027
2004163883.tif 000028
2004163883.tif 000029
2004163883.tif 000030
2004163883.tif 000031
2004163883.tif 000032
2004163883.tif 000033
2004163883.tif 000034
2004163883.tif 000035
2004163883.tif 000036
2004163883.tif 000037
2004163883.tif 000038
2004163883.tif 000039
2004163883.tif 000040
2004163883.tif 000041
2004163883.tif 000042
2004163883.tif 000043
2004163883.tif 000044
2004163883.tif 000045
2004163883.tif 000046
2004163883.tif 000047
2004163883.tif 000048
2004163883.tif 000049
2004163883.tif 000050
2004163883.tif 000051
2004163883.tif 000052
2004163883.tif 000053
2004163883.tif 000054
2004163883.tif 000055
2004163883.tif 000056
2004163883.tif 000057
2004163883.tif 000058
2004163883.tif 000059
2004163883.tif 000060
2004163883.tif 000061
2004163883.tif 000062
2004163883.tif 000063
2004163883.tif 000064
2004163883.tif 000065
2004163883.tif 000066